(57)【要約】  ユーザの経皮的電気神経刺激のための装置であって、少なくとも１つの神経を電気的に刺激する刺激器と、刺激器筐体と、刺激器筐体の遷移モーションを監視するモニタと、モニタによって監視される遷移モーションを解析し、刺激器筐体の遷移モーションが発生したか否かを判定するアナライザと、刺激器、モニタ、及びアナライザのうちの少なくとも１つを待機モードと省電力モードとの間で自動的に遷移させるコントローラとを備え、省電力モードは、待機モードで利用可能な刺激器及びモニタの機能のサブセットをサポートし、省電力モードにおいてバッテリ電力を節約する。【選択図】  図１
2020524577.tif 000002
【特許請求の範囲】
【請求項１】
ユーザの経皮的電気神経刺激のための装置であって、
少なくとも１つの神経を電気的に刺激する刺激器と、
刺激器筐体と、
前記刺激器筐体の遷移モーションを監視するモニタと、
前記モニタによって監視される遷移モーションを解析し、前記刺激器筐体の遷移モーションが発生したか否かを判定するアナライザと、
前記刺激器、前記モニタ、及び前記アナライザのうちの少なくとも１つを待機モードと省電力モードとの間で自動的に遷移させるコントローラとを備え、
前記省電力モードは、前記待機モードで利用可能な前記刺激器及び前記モニタの機能のサブセットをサポートし、前記省電力モードにおいてバッテリ電力を節約する装置。
【請求項２】
請求項１に記載の装置において、前記モニタは、前記刺激器筐体に機械的に連結された少なくとも１つの加速度計を使用して、前記刺激器筐体の遷移モーションを監視する装置。
【請求項３】
請求項２に記載の装置において、前記少なくとも１つの加速度計は、３次元空間の少なくとも１つの軸に沿った加速度に関連する加速度信号を提供する装置。
【請求項４】
請求項１から請求項３のいずれか一項に記載の装置において、前記アナライザは、加速度計測定値のサンプル間の差の絶対値を閾値と比較することによって、前記刺激器筐体の遷移モーションを解析する装置。
【請求項５】
請求項１から請求項４のいずれか一項に記載の装置において、前記コントローラは、前記刺激器筐体の遷移モーションを検出した直後に、前記刺激器、前記モニタ、及び前記アナライザのうちの少なくとも１つを前記省電力モードから前記待機モードに遷移させる装置。
【請求項６】
請求項１から請求項５のいずれか一項に記載の装置において、前記コントローラは、前記刺激器筐体の遷移モーションが所定の期間検出されない場合、前記刺激器、前記モニタ、及び前記アナライザのうちの少なくとも１つを前記待機モードから前記省電力モードに遷移させる装置。
【請求項７】
請求項１から請求項６のいずれか一項に記載の装置において、前記刺激器が前記省電力モードであるとき、前記刺激器が電源から切断される、装置。
【請求項８】
請求項１から請求項７のいずれか一項に記載の装置において、前記モニタは、前記モニタが前記省電力モードであるとき、加速度計測定値を５０ヘルツでサンプリングするか、あるいは、前記モニタは、前記省電力モード及び待機モードで、それぞれ第１及び第２のサンプリングレートで加速度計測定値をサンプリングし、前記第２のサンプリングレートは、前記第１のサンプリングレートより高く、好ましくは、少なくとも１．５倍高く、より好ましくは、１．５から５倍高い装置。
【請求項９】
請求項１から請求項８のいずれか一項に記載の装置において、前記アナライザは、前記アナライザが前記省電力モードであるとき、前記刺激器筐体の遷移モーションを判定することに限定される装置。
【請求項１０】
請求項１から請求項９のいずれか一項に記載の装置において、前記刺激器が前記待機モードであるとき、前記刺激器が電源に接続される、装置。
【請求項１１】
請求項１から請求項１０のいずれか一項に記載の装置において、前記モニタは、前記モニタが前記待機モードであるとき、加速度計測定値を１００ヘルツでサンプリングする装置。
【請求項１２】
請求項１から請求項１１のいずれか一項に記載の装置において、前記アナライザは、前記アナライザが前記待機モードであるとき、１つ以上のユーザジェスチャを、任意選択で前記刺激器筐体の遷移モーションを判定することに加えて、判定するようにプログラムされている装置。
【請求項１３】
ユーザの経皮的電気神経刺激のための装置であって、
少なくとも１つの神経を電気的に刺激する刺激器と、
前記少なくとも１つの神経の電気刺激のために前記刺激器に接続可能な一対の電極と、
皮膚上検出器であって、好ましくは、前記刺激器に電気的に接続され、前記一対の電極と前記ユーザの身体との間のインピーダンスを監視し、前記一対の電極の皮膚上状態を判定する皮膚上検出器と、
前記刺激器を待機モードとアクティブモードとの間で自動的に遷移させるコントローラとを備え、
前記刺激器は、前記アクティブモードにおいて前記ユーザに電気刺激を送達する装置。
【請求項１４】
請求項１３に記載の装置において、前記皮膚上検出器は、前記電極が皮膚に接触していると判定したとき又は前記一対の電極と前記ユーザの身体との間の前記インピーダンスが所定の閾値未満であるとき、前記皮膚上状態を真に設定する装置。
【請求項１５】
請求項１３又は請求項１４に記載の装置において、前記一対の電極と前記ユーザの身体との間のインピーダンスを推定するために、分圧回路が使用される装置。
【請求項１６】
請求項１３から請求項１５のいずれか一項に記載の装置において、前記コントローラは、前記皮膚上検出器が前記皮膚上状態を所定の期間に亘って真に設定した後に、前記刺激器を前記待機モードから前記アクティブモードに遷移させる装置。
【請求項１７】
請求項１６に記載の装置において、前記所定の期間は、２０秒である装置。
【請求項１８】
請求項１３から請求項１７のいずれか一項に記載の装置において、前記コントローラは、前記皮膚上状態が真から偽に変化したとき、前記刺激器を前記アクティブモードから前記待機モードに遷移させる装置。
【請求項１９】
請求項１３から請求項１８のいずれか一項に記載の装置において、前記刺激器が前記アクティブモードであるとき、前記刺激器は、刺激強度を目標強度レベルまで徐々に増加させる装置。
【請求項２０】
ユーザの経皮的電気神経刺激のための装置であって、
少なくとも１つの神経を電気的に刺激する刺激器と、
刺激器筐体と、
前記刺激器筐体の遷移モーションを監視するモニタと、
前記モニタに対する前記ユーザの手の近接を示すためのリモートコントローラ又は手段と、
前記モニタによって監視される遷移モーションを解析し、前記刺激器筐体の遷移モーションが前記ユーザによる意図的なハンドジェスチャによって引き起こされたか否かを判定するアナライザと、
前記意図的なハンドジェスチャに応答して、前記刺激器の動作を自動的に変更するコントローラとを備え、
前記リモートコントローラによって示される前記近接によって、前記アナライザの動作が変更される装置。
【請求項２１】
請求項２０に記載の装置において、前記モニタは、前記刺激器筐体に機械的に連結された少なくとも１つの加速度計を使用して、前記刺激器筐体の遷移モーションを監視する装置。
【請求項２２】
請求項２１に記載の装置において、前記加速度計は、３次元空間の少なくとも１つの軸に沿った加速度に関連する加速度信号を提供する装置。
【請求項２３】
請求項２０から請求項２２のいずれか一項に記載の装置において、前記リモートコントローラ又は手段は、近距離通信デバイス及び／又は無線周波数通信デバイスである装置。
【請求項２４】
請求項２３に記載の装置において、前記近距離通信デバイスは、無線周波数識別タグであり、好ましくは、ユーザの手に着用され又は手に近接して着用される物品、例えば、ユーザの指に装着されるリング、腕時計（例えばスマートウォッチであり、例えば近距離無線通信機能を備える）、リストバンド、又はユーザの手首に装着される他の物品（例えば、ブレスレット）に埋め込まれ又は含まれる装置。
【請求項２５】
請求項２０から請求項２４のいずれか一項に記載の装置において、
前記ユーザの手がハンドジェスチャによって前記刺激器筐体とインタラクトしたとき、前記ユーザの手の近接が登録され、及び／又は、
前記ハンドジェスチャは、
（ｉ）前記刺激器筐体への物理的打撃であり、好ましくは迅速な（短期間の）ものであり、及び／又は、
（ｉｉ）タップ、スラップ、及びフリックからなるグループのうちから選択される１つである、
装置。
【請求項２６】
請求項２０から請求項２５のいずれか一項に記載の装置において、
前記アナライザは、前記モニタによって監視される意図的なハンドジェスチャによって引き起こされる遷移モーションを、意図的なハンドジェスチャに関連しない遷移活動によって引き起こされるものから区別でき、及び／又は、
前記アナライザは、前記モニタからの波形セグメントが意図的なユーザジェスチャに関連しない遷移活動によって引き起こされた尤度を計算し、又は、前記モニタからの波形セグメントが意図的なユーザジェスチャに関連しない遷移活動によって引き起こされたか否かを判定する、
装置。
【請求項２７】
請求項２０から請求項２６のいずれか一項に記載の装置において、前記アナライザは、前記モニタからの波形セグメントが意図的なユーザジェスチャによって引き起こされたものである尤度を計算し、又は前記モニタからの波形セグメントが意図的なユーザジェスチャによって引き起こされたものであるか否かを判定する装置。
【請求項２８】
請求項２０から請求項２７のいずれか一項に記載の装置において、前記アナライザは、遷移活動の尤度と意図的なユーザジェスチャの尤度とを比較することによって、前記モニタによって監視された遷移モーションが意図的なユーザジェスチャであるか否かを判定する装置。
【請求項２９】
請求項２６から請求項２８のいずれか一項に記載の装置において、
前記尤度は、前記ユーザの手の近接が前記リモートコントローラ又は手段から登録されたときに変更され、又は、
遷移モーションが意図的なハンドジェスチャであるかについての前記アナライザによる判定は、前記リモートコントローラ又は手段からの近接指示を使用する、
装置。
【請求項３０】
請求項２９に記載の装置において、前記変更は、前記尤度を低下させることである装置。
【請求項３１】
ユーザの経皮的電気神経刺激のための装置によって／これを制御して、経皮的電気神経刺激を制御する方法において、前記装置は、
少なくとも１つの神経を電気的に刺激する刺激器と、
刺激器筐体と、
前記刺激器筐体の遷移モーションを監視するモニタと、
前記モニタによって監視される遷移モーションを解析するアナライザと、
前記刺激器、前記モニタ、及び前記アナライザのうちの少なくとも１つを待機モードと省電力モードとの間で自動的に遷移させるコントローラとを備え、
前記省電力モードは、前記待機モードで利用可能な前記刺激器及び前記モニタの機能のサブセットをサポートし、前記省電力モードでバッテリ電力を節約し、
前記方法は、
前記モニタからの測定に基づいて、遷移モーションの存在を判定するステップと、
前記刺激器、前記モニタ、及び前記アナライザのうちの少なくとも１つを、（例えば、前記判定された遷移モーションに基づいて）前記待機モードと前記省電力モードとの間で遷移させるステップとを有する方法。
【請求項３２】
請求項３１に記載の方法において、前記モニタは、前記刺激器筐体に機械的に連結された少なくとも１つの加速度計を使用して、遷移モーションを監視する方法。
【請求項３３】
請求項３１又は請求項３２に記載の方法において、前記アナライザは、加速度計測定値のサンプル間の差の絶対値を所定の閾値と比較することによって、遷移モーションを検出する方法。
【請求項３４】
請求項３１から請求項３３のいずれか一項に記載の方法において、前記コントローラは、遷移モーションが所定の期間検出されない場合、前記刺激器、前記モニタ、及び前記アナライザのうちの少なくとも１つを前記待機モードから前記省電力モードに遷移させる方法。
【請求項３５】
請求項３１から請求項３４のいずれか一項に記載の方法において、前記コントローラは、前記刺激器の遷移モーションの検出時に直ちに／検出に応じて前記刺激器、前記モニタ、及び前記アナライザのうちの少なくとも１つを前記省電力モードから前記待機モードに遷移させる方法。
【請求項３６】
ユーザの経皮的電気神経刺激のための装置によって／これを制御して、経皮的電気神経刺激を制御する方法であって、前記装置は、
少なくとも１つの神経を電気的に刺激する刺激器と、
前記少なくとも１つの神経の電気刺激のために前記刺激器に接続可能な一対の電極と、
皮膚上検出器であって、好ましくは、前記刺激器に電気的に接続され、前記一対の電極の皮膚上状態を監視する皮膚上検出器と、
前記刺激器を待機モードとアクティブモードとの間で自動的に遷移させるコントローラとを備え、
前記方法は、
前記一対の電極の皮膚上状態を判定するステップと、
前記刺激器を、（例えば、前記判定された皮膚上状態に基づいて）前記待機モードと前記アクティブモードとの間で遷移させるステップとを有する方法。
【請求項３７】
請求項３６に記載の方法において、前記皮膚上検出器は、前記一対の電極間（任意選択で前記一対の電極と前記ユーザの身体との間）の電気的特性（例えば、インピーダンス）を監視して、前記皮膚上状態を判定する方法。
【請求項３８】
請求項３７に記載の方法において、前記一対の電極と前記ユーザの身体との間のインピーダンスを推定するために、分圧回路が使用される方法。
【請求項３９】
請求項３６から請求項３８のいずれか一項に記載の方法において、前記コントローラは、前記皮膚上状態が真に設定された後／前記皮膚上状態が所定の期間、前記電極が皮膚と接触していることを示した後に、前記刺激器を前記待機モードから前記アクティブモードに遷移するようにプログラムされている方法。
【請求項４０】
請求項３６から請求項３９のいずれか一項に記載の方法において、前記刺激器が前記アクティブモードであるとき、前記刺激器は、前記ユーザの身体に電気刺激を送達する方法。
【請求項４１】
請求項３６から請求項４０のいずれか一項に記載の方法において、前記刺激器が前記アクティブモードであるとき、前記刺激器は、前記刺激強度を目標強度レベル（好ましくは治療レベル）まで徐々に増加させる方法。
【請求項４２】
請求項３６から請求項４１のいずれか一項に記載の方法において、前記コントローラは、前記皮膚上状態が真から偽に変化したとき、又は前記電極が皮膚と接触していることを示すものから皮膚と接触していないことを示すものに変化したとき、前記刺激器を前記アクティブモードから前記待機モードに遷移するようにプログラムされている方法。
【請求項４３】
ユーザの経皮的電気神経刺激のための装置によって／これを制御して、経皮的電気神経刺激を制御する方法において、前記装置は、
少なくとも１つの神経を電気的に刺激する刺激器と、
刺激器筐体と、
前記刺激器筐体の遷移モーションを監視するモニタと、
前記モニタに対する前記ユーザの手の近接を示すためのリモートコントローラ又は手段と、
前記モニタによって監視される遷移モーションを解析し、前記刺激器の遷移モーションが前記ユーザによる意図的なハンドジェスチャによって引き起こされたか否かを判定するアナライザと、
前記意図的なハンドジェスチャに応答して、前記刺激器の動作を自動的に変更するコントローラとを備え、
前記方法は、
前記リモートコントローラ又は手段からの近接情報に基づいて、前記アナライザの動作を変更するステップと、
前記モニタからの測定値に基づいて、前記ユーザによる意図的なハンドジェスチャの存在を判定するステップと、
前記意図的なハンドジェスチャに基づいて、前記刺激器の動作を制御するステップとを有する方法。
【請求項４４】
請求項４３に記載の方法において、前記モニタは少なくとも１つの加速度計を備え、前記少なくとも１つの加速度計は、好ましくは、前記刺激器筐体に機械的に連結又は関連付けられ、前記遷移モーションを監視する、方法。
【請求項４５】
請求項４３又は請求項４４に記載の方法において、前記リモートコントローラ又は手段は、近距離通信デバイスであり、更に、前記近距離通信デバイスは、無線周波数識別タグを備え、前記ユーザの指に取り付けられるリングであり、又はリモートコントローラ又は手段は、請求項２３又は請求項２４に記載のものである方法。
【請求項４６】
請求項４３から請求項４５のいずれか一項に記載の方法において、前記ユーザの手がハンドジェスチャによって前記刺激器筐体とインタラクトしたとき、前記ユーザの手の近接が登録される方法。
【請求項４７】
請求項４３から請求項４６のいずれか一項に記載の方法において、
前記アナライザは、前記モニタからの波形セグメントが前記意図的なユーザジェスチャに関連しない遷移活動によって引き起こされた尤度を計算することによって前記遷移モーションを解析するか、又は、
前記アナライザは、請求項２６に記載のものである、
方法。
【請求項４８】
請求項４３から請求項４７のいずれか一項に記載の方法において、
前記アナライザは、前記モニタからの波形セグメントが意図的なユーザジェスチャによって引き起こされた尤度を計算することによって前記遷移モーションを解析するか、又は、
前記アナライザは、請求項２７に記載のものである、
方法。
【請求項４９】
請求項４３から請求項４８のいずれか一項に記載の方法において、前記アナライザは、遷移活動の尤度と意図的なユーザジェスチャの尤度とを比較することによって、前記モニタによって監視された遷移モーションが意図的なユーザジェスチャであるか否かを判定する方法。
【請求項５０】
請求項４７から請求項４９のいずれか一項に記載の方法において、前記尤度は、前記ユーザの手の近接が前記リモートコントローラから登録されたときに変更される方法。
【請求項５１】
請求項５０に記載の方法において、前記変更は、前記尤度を低下させるものである方法。
【請求項５２】
ユーザの経皮的電気神経刺激のための装置であって、
少なくとも１つの神経を電気的に刺激する刺激器と、
刺激器筐体と、
前記刺激器筐体の遷移モーションを監視するためのモニタと、
前記モニタによって監視される遷移モーションを解析し、前記刺激器筐体の遷移モーションがユーザによる意図的なジェスチャによって引き起こされたか否かを判定するアナライザと、
前記意図的なジェスチャに応答して、前記刺激器の動作を自動的に変更するコントローラとを備える装置。
【請求項５３】
請求項５２に記載の装置において、前記意図的なジェスチャはフリックアップ又はフリックダウンであり、好ましくは前記刺激器筐体のものであり、例えば前記刺激器からの前記電気刺激の強度レベルを制御するためのものである、装置。
【請求項５４】
ユーザの経皮的電気神経刺激のための装置によって／これを制御して、経皮的電気神経刺激を制御する方法において、前記装置は、
少なくとも１つの神経を電気的に刺激する刺激器と、
刺激器筐体と、
前記刺激器筐体の遷移モーションを監視するためのモニタと、
前記モニタによって監視される遷移モーションを解析し、前記刺激器の遷移モーションがユーザによる意図的なジェスチャによって引き起こされたか否かを判定するアナライザと、
前記意図的なジェスチャに応答して、前記刺激器の動作を自動的に変更するコントローラとを備え、
前記方法は、
前記モニタからの測定値に基づいて、前記ユーザによる意図的なハンドジェスチャの存在を判定するステップと、
前記意図的なジェスチャに基づいて、前記刺激器の動作を制御するステップとを有する方法。
【請求項５５】
請求項５４に記載の方法において、前記意図的なジェスチャはフリックアップ又はフリックダウンであり、好ましくは前記刺激器筐体のものであり、例えば前記刺激器からの前記電気刺激の強度レベルを制御するためのものである、方法。
【請求項５６】
請求項１から請求項５５のいずれか一項に記載の装置又は方法において、機械的アクチュエータを有さない装置又は方法。
【発明の詳細な説明】
【技術分野】
【０００１】
本発明は、包括的には、電極によってユーザの無傷の皮膚を経て電流を送達することにより疼痛の症状を緩和する経皮的電気神経刺激（Transcutaneous Electrical Nerve Stimulation：ＴＥＮＳ）デバイスに関する。より具体的には、本発明は、機械式アクチュエータ（例えば、物理的な押しボタン、ノブ、ダイヤル、スイッチ、スライド、レバー、又はユーザが通常は手動で（例えば、ユーザの手又は指によって）物理的に（例えば、ある位置から別の位置に）移動させるその他の制御要素）を必要とすることなくＴＥＮＳデバイスの動作を制御するための装置および方法を開示する。
【背景技術】
【０００２】
経皮的電気神経刺激（ＴＥＮＳ）は、感覚神経線維を活性化することを目的とする、ユーザの皮膚の無傷の表面を横切る電気（すなわち、電気刺激）の送達である。ＴＥＮＳ治療の最も一般的な用途は、慢性疼痛の緩和等の鎮痛である。ＴＥＮＳ治療の他の用途には、以下に限定されるものではないが、レストレスレッグス症候群の症状の軽減、夜間の筋肉痙攣の軽減、及び全身性掻痒症の軽減が含まれる。
【０００３】
従来のＴＥＮＳでは、電極は、疼痛領域の内部、隣接、又は近位の皮膚上に配置される。固定部位高周波ＴＥＮＳでは、電極は、広範囲の鎮痛をもたらす解剖学的及び生理学的に最適な領域（例えば、ユーザの上ふくらはぎ）に配置される。電気回路が、特定の特性を有する刺激パルスを生成する。患者の皮膚に配置された一対以上の電極は、電気パルスを伝達し、これによって、その下にある神経を刺激して疼痛を緩和する。
【０００４】
感覚神経刺激によって疼痛が緩和されるとする概念モデルは、１９６５年にＭｅｌｚａｃｋとＷａｌｌによって提案されている。これらの理論によれば、感覚神経（Ａβ線維）の活性化が脊髄の「疼痛ゲート」を閉じ、侵害受容求心性神経（Ｃ線維及びＡδ線維）が疼痛の信号を脳に伝達することを阻害する。過去２０年間に、疼痛ゲートの根底にあると考えられる解剖学的経路及び分子機構が同定されてきた。感覚神経刺激（例えば、ＴＥＮＳ）は、脳幹の中脳に位置する水道周囲灰白質（periaqueductal gray：ＰＡＧ）と、髄質部分に位置する吻側延髄腹内側部（rostroventral medial medulla：ＲＶＭ）とから主に構成される下行性疼痛抑制系を活性化する。ＰＡＧは、ＲＶＭへの神経投射を有し、ＲＶＭは、上行性痛覚シグナル伝達を阻害する脊髄後角への拡散した両側性投射を有する。
【０００５】
ＴＥＮＳは、通常、短い離散パルスで送達され、各パルスは、通常、持続時間が数百マイクロ秒であり、周波数は、約１０Ｈｚから約１５０Ｈｚの間であり、ユーザの身体上に配置されたヒドロゲル電極を介して送達される。ＴＥＮＳは、刺激パルスの振幅及び形状（これが結合されてパルス電荷が確立される。）、パルスの周波数及びパターン、治療セッションの期間、及び治療セッション間の間隔を含む多数の電気的パラメータによって特徴付けられる。これらのパラメータの全ては、治療用量と相関する。例えば、振幅が大きくなり、パルスが長くなる（すなわち、パルス電荷が大きくなる）と用量が増加し、治療セッションが短いと用量が減少する。臨床試験では、パルス電荷及び治療期間が治療用量に最も大きな影響を及ぼすことが示唆されている。
【０００６】
ＴＥＮＳデバイスに対するユーザ制御は、通常、電気刺激を調節する電子回路に直接配線された機械的アクチュエータによって行われる。これらのアクチュエータは、通常、押しボタン及び／又はダイヤルである。最大限の疼痛緩和（すなわち、痛覚鈍麻）を達成するために、ＴＥＮＳは、適切な刺激強度で実施する必要がある。感覚閾値以下の強度は、臨床的に有効ではない。至適治療強度は、しばしば、「強くて快適な」と記述される。ほとんどのＴＥＮＳデバイスは、通常、ユーザによる手動強度制御（アナログ強度ノブ又はデジタル強度制御押しボタンを含む）に基づく刺激強度の設定に依存する。
【０００７】
ＴＥＮＳ刺激による疼痛緩和は、通常、刺激開始から１５分以内に始まり、刺激期間（これは「治療セッション」とも呼ばれる。）終了後に最長１時間持続する。通常、各治療セッションは、３０〜６０分間行われる。最大限の疼痛緩和（すなわち、痛覚鈍麻）を維持するために、ＴＥＮＳ治療セッションは、通常、定期的に開始する必要がある。
【０００８】
近年、着用可能なＴＥＮＳデバイス（例えば、マサチューセッツ州ウォルサムのＮｅｕｒｏＭｅｔｒｉｘ，Ｉｎｃ．社のＳＥＮＳＵＳ（登録商標）及びＱｕｅｌｌ（登録商標）ＴＥＮＳデバイス）が導入されており、このデバイスは、睡眠中を含む長期間、ユーザの体に装着されることが意図されている。衣服の下で快適に着用できるようにするためには、そのようなデバイスは、嵩張らない必要がある。したがって、これらのデバイスは、機械的アクチュエータ（例えば、押しボタン）を有さない方が有利である。更に、押しボタンが大きくないと、衣服の下で押しボタンを見つけて作動させることが困難である。しかしながら、押しボタンを大きくすると、デバイスのサイズ、厚さ、及び製造の複雑さが増し、これによってデバイスのウェアラブル性が低下する。これらの欠点は、他の機械的アクチュエータにも共通である。更に、押しボタン及び他の機械的アクチュエータは、ユーザが眠っているとき等に偶発的に作動しやすい。
【０００９】
スマートフォン又は他のモバイル「アプリ」を使用して、ブルートゥース（登録商標）又は他の（例えば、同様の）無線通信プロトコル、特に近距離プロトコルを介して、ＴＥＮＳデバイスの動作を無線で制御できる。このために、ＴＥＮＳデバイスは、スマートフォンアプリとアクティブな通信リンクを維持し、スマートフォンアプリからの制御コマンドに応答し、ＴＥＮＳデバイスとアプリの間で情報を交換する必要がある。ＴＥＮＳデバイスとスマートフォンアプリとの間の連続したアクティブな通信リンクを維持することは、バッテリ電力消費の点で高コストであり、このため、再充電を頻繁に行う必要があり、ユーザにとって不便である。
【００１０】
装着性と快適性を改善するために、携帯ＴＥＮＳデバイスは、総体積が小さく、嵩張らない必要がある。このような体積に関する要求のため、ＴＥＮＳデバイス内に収容される再充電可能バッテリの物理的サイズには上限がある。バッテリの容量は、通常、バッテリのサイズにある程度比例するため、このようなウェアラブルＴＥＮＳデバイスでは、ＴＥＮＳデバイスに電力を供給するバッテリの容量が制限される。バッテリ寿命を延ばすためには、ＴＥＮＳデバイスが使用されていないときにＴＥＮＳデバイスをアクティブ状態から省電力状態に遷移させ、ＴＥＮＳデバイスが使用されるときにＴＥＮＳデバイスをアクティブ状態に戻るように遷移させる必要があり、これを直観的で信頼できる手法で行う必要がある。
【００１１】
［発明のサマリー］
本発明は、機械的アクチュエータ（例えば、押しボタン、スイッチ、ダイヤル等）の使用を必要としない新規なＴＥＮＳデバイスの提供及び使用を含む。ＴＥＮＳデバイスの状態（アクティブ状態及び省電力状態）及び動作は、意図的なジェスチャ及び他の手段によって制御される。本発明の好ましい一形態では、ＴＥＮＳデバイスに３軸加速度計が組み込まれ、ユーザのハンドジェスチャ（タップ、フリック、及びシェイク等）によって引き起こされるＴＥＮＳデバイスのモーション及び向きを測定し、これに基づいて装置の状態（アクティブ状態及び省電力状態）及び動作を変更する。
【００１２】
無線接続を介してＴＥＮＳデバイスの状態及び動作を制御するために他の制御手段を提供してもよく、これには、ＲＦＩＤ（無線周波数識別タグ）及び他の同様の近距離通信デバイス（ブルートゥース対応のスマートフォン、スマートウォッチ、その他のポータブル／モバイルデバイスで動作するアプリを含む）又はここに記載する他の制御手段が含まれる。身体装着制御手段／コントローラについては、通常、これらは、ここに説明するように、ユーザの手の上又は近く（例えば、手首に）に装着され、ＴＥＮＳデバイス１００とインタラクトし、特に刺激器ユニット／筐体１１１とインタラクトして、動作を制御するために使用される。
【００１３】
更なるデバイス制御スキームは、ユーザの皮膚上にデバイスを配置したときの治療の自動開始と、ＴＥＮＳデバイスによって感知された全体的な動きに基づく省電力モードへの遷移及び省電力モードからの遷移とを含む。
【００１４】
本発明の１つの好ましい形態では、ユーザにおける経皮的電気神経刺激のための装置が提供され、この装置は、
少なくとも１つの神経を電気的に刺激する刺激器と、
刺激器筐体と、
刺激器筐体の遷移モーションを監視するモニタと、
モニタによって監視される遷移モーションを解析し、刺激器筐体の遷移モーションが発生したか否かを判定するアナライザと、
刺激器、モニタ、及びアナライザのうちの少なくとも１つを待機モードと省電力モードとの間で自動的に遷移させるコントローラとを備え、
省電力モードは、待機モードで利用可能な刺激器及びモニタの機能のサブセットをサポートし、省電力モードにおいてバッテリ電力を節約する。
【００１５】
本発明の別の好ましい形態では、ユーザにおける経皮的電気神経刺激のための装置が提供され、この装置は、
少なくとも１つの神経を電気的に刺激する刺激器と、
少なくとも１つの神経の電気刺激のために刺激器に接続可能な一対の電極と、
刺激器に電気的に接続され、一対の電極とユーザの身体との間のインピーダンスを監視し、一対の電極の皮膚上状態を判定する皮膚上検出器（on-skin detector）と、
刺激器を待機モードとアクティブモードとの間で自動的に遷移させるコントローラとを備え、
刺激器は、アクティブモードにおいてユーザに電気刺激を送達する。
【００１６】
本発明の別の好ましい形態では、ユーザにおける経皮的電気神経刺激のための装置が提供され、この装置は、
少なくとも１つの神経を電気的に刺激する刺激器と、
刺激器筐体と、
刺激器筐体の遷移モーションを監視するモニタと、
モニタに対するユーザの手の近接を示すためのリモートコントローラと、
モニタによって監視される遷移モーションを解析し、刺激器筐体の遷移モーションがユーザによる意図的なハンドジェスチャによって引き起こされたか否かを判定するアナライザと、
意図的なハンドジェスチャに応答して、刺激器の動作を自動的に変更するコントローラとを備え、
リモートコントローラによって示される近接によって、アナライザの動作が変更される。
【００１７】
本発明の別の好ましい形態では、機械的アクチュエータ又はボタンを用いずに経皮的電気神経刺激を制御する方法が提供され、この方法は、
ユーザの経皮的電気神経刺激のための装置を準備するステップを有し、この装置は、
少なくとも１つの神経を電気的に刺激する刺激器と、
刺激器筐体と、
刺激器筐体の遷移モーションを監視するモニタと、
モニタによって監視される遷移モーションを解析するアナライザと、
刺激器、モニタ、及びアナライザのうちの少なくとも１つを待機モードと省電力モードとの間で自動的に遷移させるコントローラとを備え、
省電力モードは、待機モードで利用可能な刺激器及びモニタの機能のサブセットをサポートし、省電力モードにおいてバッテリ電力を節約し、
この方法は、更に、モニタからの測定に基づいて、遷移モーションの存在を判定するステップと、
刺激器、モニタ、及びアナライザのうちの少なくとも１つを待機モードと省電力モードとの間で遷移させるステップとを有する。
【００１８】
本発明の別の好ましい形態では、機械的アクチュエータ又はボタンを用いずに経皮的電気神経刺激を制御する方法が提供され、この方法は、
ユーザの経皮的電気神経刺激のための装置を準備するステップを有し、この装置は、
少なくとも１つの神経を電気的に刺激する刺激器と、
少なくとも１つの神経の電気刺激のために刺激器に接続可能な一対の電極と、
刺激器に電気的に接続され、一対の電極の皮膚上状態を監視する皮膚上検出器と、
刺激器を待機モードとアクティブモードとの間で自動的に遷移させるコントローラとを備え、
この方法は、更に、一対の電極の皮膚上状態を判定するステップと、
刺激器を待機モードとアクティブモードとの間で遷移させるステップとを有する。
【００１９】
本発明の別の好ましい形態では、機械的アクチュエータ又はボタンを用いずに経皮的電気神経刺激を制御する方法が提供され、この方法は、
ユーザの経皮的電気神経刺激のための装置を準備するステップを有し、この装置は、
少なくとも１つの神経を電気的に刺激する刺激器と、
刺激器筐体と、
刺激器筐体の遷移モーションを監視するモニタと、
モニタに対するユーザの手の近接を示すためのリモートコントローラと、
モニタによって監視される遷移モーションを解析し、刺激器の遷移モーションがユーザによる意図的なハンドジェスチャによって引き起こされたか否かを判定するアナライザと、
意図的なハンドジェスチャに応答して、刺激器の動作を自動的に変更するコントローラとを備え、
この方法は、更に、リモートコントローラからの近接情報に基づいて、アナライザの動作を変更するステップと、
モニタからの測定値に基づいて、ユーザによる意図的なハンドジェスチャの存在を判定するステップと、
意図的なジェスチャに基づいて、刺激器の動作を制御するステップとを有する。
【００２０】
本発明の別の好ましい形態では、ユーザにおける経皮的電気神経刺激のための装置が提供され、この装置は、
少なくとも１つの神経を電気的に刺激する刺激器と、
刺激器筐体と、
刺激器筐体の遷移モーションを監視するモニタと、
モニタによって監視される遷移モーションを解析し、刺激器筐体の遷移モーションがユーザによる意図的なジェスチャによって引き起こされたか否かを判定するアナライザと、
意図的なジェスチャに応答して、刺激器の動作を自動的に変更するコントローラとを備える。
【００２１】
本発明の別の好ましい形態では、機械的アクチュエータ又はボタンを用いずに経皮的電気神経刺激を制御する方法が提供され、この方法は、
ユーザの経皮的電気神経刺激のための装置を準備するステップを有し、この装置は、
少なくとも１つの神経を電気的に刺激する刺激器と、
刺激器筐体と、
刺激器筐体の遷移モーションを監視するモニタと、
モニタによって監視される遷移モーションを解析し、刺激器の遷移モーションがユーザによる意図的なジェスチャによって引き起こされたか否かを判定するアナライザと、
意図的なジェスチャに応答して、刺激器の動作を自動的に変更するコントローラとを備え、
この方法は、更に、モニタからの測定値に基づいて、ユーザによる意図的なハンドジェスチャの存在を判定するステップと、
意図的なハンドジェスチャに基づいて、刺激器の動作を制御するステップとを有する。
【００２２】
本発明は、更に、好ましい実施形態、添付の図面、及び特許請求の範囲を参照することによって開示される他の態様及び特徴を提供する。更に、本発明は、その任意の態様と、他の態様の任意の１つ以上の態様及び／又は特徴との組合せを提供する。
【００２３】
本発明のこれら及び他の目的、態様、及び特徴は、同様の部分に同様の符号が付された以下の添付の図面を参照する本発明の好ましい実施形態の詳細な説明によって、より完全に開示され又は明らかにされる。
【図面の簡単な説明】
【００２４】
【図１】本発明に基づいて形成され、ユーザの上ふくらはぎに装着された新規なＴＥＮＳデバイスを、新規なＴＥＮＳデバイスに組み込まれた加速度計の座標系と共に示す概略図である。
【図２】図１の新規なＴＥＮＳデバイスをより詳細に示す概略図である。
【図３】図１及び図２の新規なＴＥＮＳデバイスの電極アレイを示す概略図である。
【図４】ジェスチャ検出及びモーション検出用のプロセッサ（パルススクリーナ、パルスアナライザ、及び遷移モーション検出器を含む）を含む図１〜図３の新規なＴＥＮＳデバイスの概略図である。
【図５】図１〜図４の新規なＴＥＮＳデバイスの刺激器によって生成される刺激パルス列を示す概略図である。
【図６】図１〜図５に示す新規なＴＥＮＳデバイスの種々の動作モード（省電力、待機、アクティブ）及び動作モード間の遷移を示す概略図である。
【図７】図１〜図６に示す新規なＴＥＮＳデバイスの皮膚上検出システムを、新規なＴＥＮＳデバイスがユーザの皮膚に接触し及び皮膚から離れた際の等価回路と共に示す概略図である。
【図８】新規なＴＥＮＳデバイスに組み込まれた加速度計のＸ軸、Ｙ軸、及びＺ軸からの加速度計データ波形の一例を、デバイスの遷移モーションを検出するための加速度計データから得られた追加の波形と共に示す概略図である。
【図９】タップ、ダブルタップ、フリックアップ、及びフリックダウンに関連するイベントを反映する加速度計データ波形を有する、新規なＴＥＮＳデバイスに組み込まれた加速度計のＸ軸、Ｙ軸、及びＺ軸からの例示的な波形を示す概略図である。
【図１０】潜在的なパルスイベントとしてパルススクリーナによって識別される加速度計データ波形セグメントを有する、新規なＴＥＮＳデバイスに組み込まれた加速度計のＺ軸からの例示的な波形を示す概略図である。
【図１１】加速度計データ波形がタップに関連している場合の、新規なＴＥＮＳデバイスに組み込まれた加速度計のＺ軸からの例示的な波形を示す概略図である。
【図１２】加速度計データ波形が歩行活動に関連している場合の、新規なＴＥＮＳデバイスに組み込まれた加速度計のＺ軸からの例示的な波形を示す概略図である。
【図１３】加速度計のＺ軸からの例示的な波形及び遷移活動を評価するための活動カウンタを示す概略図である。
【図１４】遷移モーションイベントを使用して、意図的なユーザジェスチャを表す「真」加速パルスイベントと、通常の身体の動きを表す「偽」パルスイベントとを区別するための処理を示すフローチャートである。
【発明を実施するための形態】
【００２５】
［ＴＥＮＳデバイス概要］
本発明は、ユーザの上ふくらはぎ（又は他の解剖学的位置）上に配置されるように設計された刺激器と、ユーザの上ふくらはぎ（又は他の解剖学的位置）内の少なくとも１つの神経に電気刺激を提供するように設計された予め構成された電極アレイとを備える新規なＴＥＮＳデバイスの提供及び使用を含む。本発明の主要な特徴は、新規なＴＥＮＳデバイスが、ＴＥＮＳデバイスの動作を制御するための機械的アクチュエータ（例えば、押しボタン、スイッチ、ダイヤル等）を含まないことである。
【００２６】
具体的には、図１には、本発明に基づいて形成された新規なＴＥＮＳデバイス１００が示されており、この新規なＴＥＮＳデバイス１００は、ユーザの上ふくらはぎ１４０に装着されている。ユーザは、ＴＥＮＳデバイス１００を片脚又は両脚（１つを交代で又は同時に）に装着してもよく、あるいは、ユーザの片脚（又は両方の脚）に装着されたＴＥＮＳデバイス１００とは別に又はこれに加えて、ＴＥＮＳデバイス１００を身体の別の領域に装着してもよい。
【００２７】
図２は、ＴＥＮＳデバイス１００をより詳細に示している。ＴＥＮＳデバイス１００は、好ましくは、刺激器１１０、ストラップ１３０、及び電極アレイ３００（刺激器１１０に適切に接続されたカソード電極及びアノード電極を含む。）の３個の主要な構成要素を含む。本発明の好ましい形態では、刺激器筐体１１１は、ＴＥＮＳ刺激回路と、１以上のユーザインタフェース要素１０１（例えば、ＬＥＤ）とを収容する。図２には、刺激器筐体１１１の前面１１１ａ及び背面１１１ｂの両方が示されている。使用時には、背面１１１ｂは、内側でユーザの体表面（例えば、ふくらはぎ）に面し、反対側の前面１１１ａは、体表面とは逆の外側を向く。ストラップ１３０は、刺激器１１０の刺激器筐体１１１を受容するためのポケット１１２を含む。また、ＴＥＮＳデバイス１００は、加速度計１３２（図２及び図４参照）を備える。加速度計１３２は、好ましくは、ＭＥＭＳデジタル加速度計マイクロチップ（例えば、Ｆｒｅｅｓｃａｌｅ社ＭＭＡ８４５１Ｑ）の形態であり、（ｉ）刺激器筐体１１１へのタップ等のユーザジェスチャ、（ｉｉ）ユーザの脚及び体の向き、及び（ｉｉｉ）デバイスがユーザの皮膚上に配置されたときのユーザの脚及び体のモーションを検出するためのものである。なお、加速度計１３２は、刺激器筐体１１１の内部に配置してもよく、外部に配置してもよい。また、加速度計１３２は、ＴＥＮＳデバイスがユーザの身体上に配置されていないとき、ＴＥＮＳデバイスのモーション及び向きを監視する。また、ＴＥＮＳデバイス１００は、ジャイロスコープ１３３（図４）、振動モータ１３４（図４）、リアルタイムクロック１３５（図４）、温度センサ１３７（図２及び図４）、及びストラップテンションゲージ１３８（図２及び図４）を備える。なお、ジャイロスコープ１３３、温度センサ１３７、及び／又は振動モータ１３４は、刺激器筐体１１１の内部に配置してもよく、外部に配置してもよい。
【００２８】
また、本発明の好ましい一形態では、刺激器筐体１１１は、ＴＥＮＳ刺激回路及び他の回路に電力を供給するためのバッテリ（図示せず）、並びにＴＥＮＳデバイス１００がリモートコントローラ１８０（例えば、スマートフォンやＲＦＩＤタグ等の携帯型電子デバイス（図２参照））と無線通信することを可能にするための無線通信の技術において周知の無線リンクモジュール１８５（図４）等の他の補助要素を収容する。
【００２９】
本発明の別の形態では、ＴＥＮＳデバイス１００は、例えば、身体への適合性を向上させるため及び／又は回路及び電池構成要素をより均等に分配することによってユーザの快適性を改善するために、複数の刺激器筐体１１１を備えることができる。
【００３０】
また、本発明の更に別の形態では、フレキシブル回路基板を使用して、ＴＥＮＳ刺激回路及び他の回路をユーザの脚部の周囲により均一に分散させ、これによってデバイスの厚さを低減する。
【００３１】
更に図２に示すように、ユーザインタフェース要素１０１は、刺激状態を示し、ユーザに他のフィードバックを提供するために、ＬＥＤを含むことが好ましい。図２には単一のＬＥＤを示しているが、ユーザインタフェース要素１０１は、異なる色を有する複数のＬＥＤを含むことができる。追加のユーザインタフェース要素（例えば、ＬＣＤディスプレイ、ビープ音発生器又は音声出力を介した音声フィードバック、振動素子等の触覚デバイス、適切な「アプリ」を実行するスマートフォン等）も想到され、これらも本発明の範囲に含まれる。
【００３２】
本発明の好ましい一形態では、図１に示すように、ＴＥＮＳデバイス１００は、ユーザの上ふくらはぎ１４０に装着されるように構成されるが、ＴＥＮＳデバイス１００は、他の解剖学的位置に装着してもよく又は複数のＴＥＮＳデバイス１００を様々な解剖学的位置に装着してもよいことは明らかである。ＴＥＮＳデバイス１００（前述の刺激器１１０、電極アレイ３００、及びストラップ１３０を備える。）は、デバイスを上ふくらはぎ（又は他の解剖学的位置）に対して適所に配置し、次にストラップ１３０を締め付けることによって、ユーザの上ふくらはぎ１４０（又は他の解剖学的位置）に固定される。より具体的には、本発明の好ましい一形態では、電極アレイ３００は、ユーザの脚（又は他の解剖学的位置）上のＴＥＮＳデバイス１００の特定の回転位置にかかわらず、ユーザの適切な解剖学的構造に適切な電気刺激を加えるように寸法決めされ、構成される。
【００３３】
図３は、電極アレイ３００の好ましい一形態の概略図である。電極アレイ３００は、好ましくは、４個の個別電極３０２、３０４、３０６、３０８を備え、各個別電極は、同一又は同様のサイズ（すなわち、同一又は同様のサイズの表面積）を有する。電極３０２、３０４、３０６、３０８は、好ましくは対として接続され、電極３０４及び電極３０６（ＴＥＮＳデバイス１００のカソードを表す）が（例えば、コネクタ３０５を介して）互いに電気的に接続され、電極３０２及び電極３０８（ＴＥＮＳデバイス１００のアノードを表す）が（例えば、コネクタ３０７を介して）互いに電気的に接続される。なお、電極３０２、３０４、３０６、３０８は、好ましくは、ユーザの脚（又は他の解剖学的位置）上のＴＥＮＳデバイス１００の回転位置にかかわらず（したがって、電極アレイ３００の回転位置にかかわらず）、適切な皮膚被覆率を確実にするために、適切に寸法決めされ、対として接続される。なお、電極３０２、３０４、３０６、３０８は、インタリーブ方式で接続するのではなく、２つの内側電極３０４、３０６が互いに接続され、２つの外側電極３０２、３０８が互いに接続されるように接続される。この電極接続パターンにより、２つの外側電極３０２、３０８が不用意に接触した場合に、カソードからアノードに直接流れる刺激電流の電気的短絡が生じないことが保証される（すなわち、この電極接続パターンにより、治療ＴＥＮＳ電流が常にユーザの組織を通って流れることが保証される）。
【００３４】
電流（すなわち、組織への治療的電気刺激のための電流）は、刺激器１１０上でそれぞれ相補的コネクタ２１０、２１２（図２及び図４）と電気的及び機械的に嵌合するコネクタ３１０、３１２（図３）によって電極対３０４、３０６及び電極対３０２、３０８に供給される。これに関して、ストラップポケット１１２は、刺激器筐体１１１がポケット１１２内に配置された後に、この接続を可能にする開口（コネクタ２１０、２１２と整合する開口）を含む。刺激器１１０は、それぞれコネクタ３１０、３１２を介して電極３０４、３０６及び電極３０２、３０８を通過する電流を生成する。
【００３５】
本発明の好ましい一形態では、電極３０２、３０４、３０６、３０８の皮膚接触導電性材料は、電極３０２、３０４、３０６、３０８に「組み込まれる」ヒドロゲル材料である。電極上のヒドロゲル材料は、電極３０２、３０４、３０６、３０８とユーザの皮膚（すなわち、刺激されるべき知覚神経が存在するユーザの身体の部分の内部、これに隣接した部分、又はこれに近接した部分）との間の界面として機能する。乾燥電極及び非接触刺激電極等の他のタイプの電極も想到され、これらも本発明の範囲に含まれる。
【００３６】
図４は、ＴＥＮＳデバイス１００の概略図であり、特に、ＴＥＮＳデバイス１００とユーザとの間の電流の流れを示している。図４に概略的に示すように、定電流源４１０からの刺激電流４１５は、アノード電極４２０（このアノード電極４２０は、上記電極３０２、３０８を含む。）を介して、ユーザの組織４３０（例えば、ユーザの上ふくらはぎ）に流れる。アノード電極４２０は、導電性バッキング（銀ハッチ（silver hatch））４４２及びヒドロゲル４４４を含む。電流は、ユーザの組織４３０を通過し、カソード電極４３２（このカソード電極４３２は、電極３０４、３０６を含む。）を通って定電流源４１０に戻る。また、カソード電極４３２も導電性バッキング４４２及びヒドロゲル４４４を含む。定電流源４１０は、好ましくは、ＴＥＮＳ治療の分野で周知の種類の適切な二相性波形（すなわち、二相性刺激パルス）を提供する。なお、この点に関して、「アノード」電極及び「カソード」電極といった呼称は、二相性波形に関しては、純粋に表記上のものである（すなわち、二相性刺激パルスが二相性ＴＥＮＳ刺激の第２相においてその極性を反転した場合、電流は、「カソード」電極４３２を介してユーザの体に流入し「アノード」電極４２０を介してユーザの体から流出する）。
【００３７】
図５は、ＴＥＮＳ治療セッション中に刺激器１１０によって提供されるパルス列４８０、及び２つの個別の二相性パルスの波形４９０を示す概略図であり、ここでは、個々の二相性パルスのそれぞれは、第１相４９１及び第２相４９２を含む。本発明の一形態では、各パルス波形は、二相性パルスの２つの位相４９１、４９２に亘って電荷を平衡させ、皮膚刺激及び潜在的な皮膚損傷をもたらす可能性がある電極アレイ３００の電極下のイオン泳動蓄積を防止する。本発明の別の形態では、個々のパルスは、二相性パルスの２つの位相に亘って不平衡であるが、電荷平衡は、複数の隣接する二相性パルスに亘って達成される。治療セッション４８２の期間を通して、固定の又はランダムに変化する周波数のパルスが印加される。刺激の強度（すなわち、刺激器１１０によって送達される電流の振幅４９３）は、以下で更に詳細に説明するように、ユーザ入力に応答して、及び習慣を補償するように調節される。
【００３８】
Ｎｅｕｒｏｍｅｔｒｉｘ社及びＳｈａｉ  Ｎ．Ｇｏｚａｎｉらによって２０１２年１１月１５日に米国特許出願第１３／６７８，２２１号として出願され、２０１５年２月３日に米国特許第８，９４８，８７６号として発行され、参照により本願に援用される、発明の名称「APPARATUS AND METHOD FOR RELIEVING PAIN USING TRANSCUTANEOUS ELECTRICAL NERVE STIMULATION」（代理人整理番号ＮＥＵＲＯ−５９６０）は、ＴＥＮＳデバイスのセットアップ時にユーザの電気触覚知覚閾値に従って、ユーザがＴＥＮＳ治療刺激強度を個人用に設定できる装置及び方法を開示している。また、前述の米国特許第８，９４８，８７６号は、ユーザによる最初の手動開始後に追加の治療セッションを自動的に再開する装置及び方法を開示している。
【００３９】
ＮｅｕｒｏＭｅｔｒｉｘ，Ｉｎｃ．及びＳｈａｉ  Ｇｏｚａｎｉらによって２０１４年３月３１日に米国特許出願第１４／２３０，６４８号として出願され、２０１６年１０月２５日に米国特許第９，４７４，８９８号として発行され、参照により本願に援用される発明の名称、「DETECTING CUTANEOUS ELECTRODE PEELING USING ELECTRODE-SKIN IMPEDANCE」（代理人整理番号ＮＥＵＲＯ−６４）は、ユーザが眠っている夜間にＴＥＮＳ治療を安全に送達することを可能にする装置及び方法が開示されている。これらの方法及び装置により、ユーザは、２４時間／日を含む長期間、ＴＥＮＳデバイスを装着できる。
【００４０】
概日リズム又は他の時間的に変化するリズムの効果によって、ＴＥＮＳ刺激の有効性が軽減されることがあるため、日中及び夜間を通してユーザに一貫して快適で効果的な疼痛緩和を送達するためには、一定のＴＥＮＳ刺激レベルを提供することが適切ではない場合もある。ＴＥＮＳ刺激の有効性に影響を及ぼすパラメータとしては、以下に限定されるものではないが、刺激パルス振幅４９３（図５）及びパルス幅４９４（図５）、パルス周波数４９５（図５）、並びに治療セッション期間４８２（図５）等が含まれる。例えば、以下に限定されるものではないが、振幅を大きくし及びパルスを長くすると（すなわち、パルス電荷を大きくすると）、ユーザに送達される刺激（すなわち、刺激「用量」）が増加し、治療セッションを短くすると、ユーザに送達される刺激（すなわち、刺激「用量」）が減少する。臨床研究では、パルス電荷（すなわち、パルス振幅及びパルス幅）及び治療セッション持続時間が、ユーザに送達される治療刺激（すなわち、治療刺激「用量」）に最も影響することが示唆されている。
【００４１】
日中も夜間もＴＥＮＳデバイスが疼痛を軽減するという利点をユーザが十分に享受するために、ＴＥＮＳデバイスは、良好な装着性のために嵩張らず、使いやすさのために操作が簡単で直感的であり、携帯性のために長いバッテリ持続時間を有することが求められる。
【００４２】
押しボタン及びダイヤル等の機械的アクチュエータは、ＴＥＮＳデバイスの物理的寸法を増加させる。更に、押しボタン又はダイヤルが大きくなければ、衣服の下で押しボタン又はダイヤルを見つけて作動させることが困難になる。しかしながら、押しボタン又はダイヤルを大きくすると、デバイスの寸法が大きくなり、厚さが増し、及び製造が複雑になり、このために、装着性が低下する。更に、押しボタン及び他の機械的アクチュエータは、ユーザが眠っているとき等、偶発的に作動しやすい。したがって、本発明では、ＴＥＮＳデバイスから機械的アクチュエータ（押しボタン、ダイヤル等）を排除する。
【００４３】
直感的で簡単な操作により、ＴＥＮＳデバイスの操作性が向上する。フリック、シェイク、タップ等のユーザジェスチャは、ユーザがＴＥＮＳデバイスとインタラクトするための直感的な手法である。本発明は、搭載された加速度計からの信号を処理し、ユーザジェスチャを正確に解釈する装置及び方法を開示する。
【００４４】
充電から次の充電までのバッテリ持続時間の延長は、あらゆる携帯機器、特に、日中及び夜間を通して疼痛を緩和するために必要とされるＴＥＮＳデバイスにとって望ましい特徴である。しかしながら、ＴＥＮＳデバイスは、総体積を小さくし、嵩張らなくする必要があるため、ＴＥＮＳデバイス内に内蔵される再充電可能なバッテリのサイズは制限され、バッテリ容量は、通常、このバッテリサイズに影響を受ける。したがって、ＴＥＮＳデバイスに電力を供給するバッテリの容量には限界がある。本発明は、ＴＥＮＳデバイスが使用されていないとき、ＴＥＮＳデバイスをアクティブ状態から省電力状態に遷移させ、次にＴＥＮＳデバイスが使用されるときにＴＥＮＳデバイスをアクティブ状態に遷移させて戻すことによって、ＴＥＮＳデバイスの電力消費を効率的に管理するための装置及び方法を、いずれも直感的かつ信頼性のある態様において開示する。
【００４５】
［ＴＥＮＳデバイス動作モード］
本発明の好ましい一形態では、ＴＥＮＳデバイス１００は、次の３つのモード（図６参照）のうちの１つで動作する。
【００４６】
（ｉ）ＴＥＮＳデバイス１００がユーザに電気刺激を送達し、リモートコントローラ１８０とのアクティブな通信リンクを維持するアクティブモード１７６。
【００４７】
（ｉｉ）ＴＥＮＳデバイス１００が電気刺激の送達を開始する準備ができ、リモートコントローラ１８０とのアクティブな通信リンクを維持する待機モード１７４。
【００４８】
（ｉｉｉ）ＴＥＮＳデバイス１００が特定のイベントトリガによって待機モードに遷移する準備ができている省電力モード１７２。なお、待機モードは、（アクティブモード１７６よりは消費電力が少ないが）省電力モードよりも最大１０倍多くの電力を消費するため、ＴＥＮＳデバイス１００は、可能な限り省電力モードに留まることが有利である。
【００４９】
省電力モード１７２では、ＴＥＮＳデバイス１００は、ＴＥＮＳデバイス１００の全体的な動きを検出するためにアクティブにされている加速度計１３２の回路を除く、全ての回路をオフにする。単純なモーション検出アルゴリズムを実行する加速度計回路（例えば、絶対値が閾値を超える加速度信号が測定されたときに動きを検出する閾値検出器）は、動き検出のためにほとんど電力を必要としない。加速度計１３２によって動きが検出されると、加速度計１３２の回路は、プロセッサ５１５に信号を送る（図４）。プロセッサ５１５は、信号を受信すると、ＴＥＮＳデバイス１００に対して、無線リンクモジュール１８５及び皮膚上検出モジュール（on-skin detection module）２６５をオンにすることによって、待機モードに入るように命令する。本発明の好ましい形態では、加速度計１３２の回路は、特定の動きパターンを検出するのではなく、なんらかの動きを検出することが目的である限り、ＴＥＮＳデバイスの任意の動きに関連する加速度を測定するために５０ヘルツのサンプリング速度で動作する。加速度計１３２の回路をより低いサンプリング速度で動作させることにより、加速度計回路の電力消費を低減できる。
【００５０】
待機モードでは、ＴＥＮＳデバイス１００は、無線リンクモジュール１８５、皮膚上検出器２６５、及び加速度計１３２を起動する。所定の時間窓内に「適格イベント（qualified event）」が発生しない場合、プロセッサ５１５は、ＴＥＮＳデバイス１００を省電力モードに戻す。本発明の一形態では、所定の時間窓は、５分である。「適格イベント」は、リモートコントローラ１８０との間の通信、加速度計１３２によって検出された特定の動きパターン（例えば、タップ、シェイク、フリック等）、及び皮膚上状態の検出を含む。適格イベントの判定については、後で詳しく説明する。本発明の好ましい形態では、プロセッサ５１５は、皮膚上状態が検出されてから（すなわち、皮膚上状態フラグ（on-skin condition flag）が偽から真に変化してから）所定の期間の遅延後に治療セッションを開始することにより、ＴＥＮＳデバイス１００を待機モードからアクティブモードに変更する。例えば、所定の期間の遅延は、以下に限定されるものではないが、２０秒であってもよい。本発明の別の形態では、ＴＥＮＳデバイス１００は、皮膚上状態が検出されている限り（すなわち、皮膚上状態フラグが真である限り）待機モードを維持し、治療セッションを開始するためには、追加のコマンドが必要である。
【００５１】
アクティブモードでは、ＴＥＮＳデバイス１００は、所定の期間、ユーザに電気刺激を与え、その後待機モードに戻る。本発明の好ましい形態では、プロセッサ５１５は、ＴＥＮＳデバイス１００がアクティブモードから待機モードに入るとタイマを開始し、次に、ＴＥＮＳデバイス１００がユーザの皮膚上にあり続ける場合（すなわち、ＴＥＮＳデバイス１００の皮膚上状態が真のままである場合）、設定された時間間隔で次の治療セッションを自動的に開始する。
【００５２】
アクティブモードにおいてＴＥＮＳデバイス１００の皮膚上状態が偽になると、プロセッサ５１５は、自動的に電気刺激を停止し、ＴＥＮＳデバイスを待機モードに戻す。
【００５３】
なお、プロセッサ５１５は、当技術分野で周知の種類の汎用マイクロプロセッサ（ＣＰＵ）であってもよく、ここに開示する機能、例えば、ジェスチャ認識機能（下記参照）、タップ及びフリック（パルス）検出器機能（下記参照）、パルススクリーナ機能（下記参照）、パルスアナライザ機能（下記参照）、及び遷移モーション検出器機能（下記参照）を提供するために適切にプログラミングされる。
【００５４】
［皮膚上検出器］
本発明の好ましい一形態では、ＴＥＮＳデバイス１００は、皮膚上検出器２６５（図４）を備え、ＴＥＮＳデバイス１００がユーザの皮膚上に正しく装着されていることを確認する。
【００５５】
より具体的には、刺激器１１０は、ＴＥＮＳデバイスがユーザに固定された後、所定の遅延期間（例えば、２０秒）が経過すると、電気刺激治療セッションを自動的に開始する。本発明の好ましい形態では、皮膚上検出器２６５（図４）を使用して、ＴＥＮＳデバイス１００がユーザの皮膚上に固定的に配置されているか及びいつ配置されたかを判定する。
【００５６】
本発明の好ましい形態では、図７に示すように、皮膚上検出器２６５は、ＴＥＮＳデバイス１００に組み込まれている。具体的には、本発明の好ましい一形態では、スイッチ２２０を閉じることによって、２０ボルトの電圧が電圧源２０４からＴＥＮＳ刺激器１１０のアノード端子２１２に印加される。ＴＥＮＳデバイスがユーザの皮膚上にある場合、アノード電極４２０とカソード電極４３２との間に位置するユーザ組織４３０は、閉回路を形成し、抵抗器２０８及び抵抗器２０６によって形成される分圧回路に電圧を印加する。より詳細には、ＴＥＮＳデバイス１００がユーザの皮膚上にある場合、実世界システムは、図７に示す等価回路２６０によって表され、この等価回路２６０により、分圧器抵抗器２０６、２０８を介して、アノード電圧Ｖａ２０４を感知できる。増幅器２０７から測定されるカソード電圧は、ＴＥＮＳデバイス１００がユーザの皮膚に固定されると、ゼロではなく、アノード電圧２０４に近くなる。一方、ＴＥＮＳデバイス１００がユーザの皮膚に固定されていない場合、実世界システムは、等価回路２７０（図７）によって表され、増幅器２０７からのカソード電圧はゼロになる。ＴＥＮＳデバイス１００がユーザの皮膚上にあると皮膚上検出器２６５が判定した場合、皮膚上状態は、真であるとみなされ、ＴＥＮＳデバイス１００がユーザの皮膚上にないと皮膚上検出器２６５が判定した場合、皮膚上状態は、偽であるとみなされる。ＴＥＮＳデバイス１００の皮膚上状態は、フラグを設定することによって容易に記録できる。
【００５７】
皮膚上検出器２６５は、以下のように使用することが好ましい。
【００５８】
ＴＥＮＳデバイス１００の電極アレイ３００がユーザの皮膚から部分的又は完全に離れた又は離れていることを皮膚上検出器２６５が示す場合、ＴＥＮＳデバイス１００は、ＴＥＮＳ治療の適用を停止し、ＴＥＮＳデバイス１００のプロセッサ５１５は、ＴＥＮＳデバイス１００の動作をアクティブモードから待機モードに遷移させる。
【００５９】
ＴＥＮＳデバイス１００が待機モードであり、ＴＥＮＳデバイスが皮膚上にないと皮膚上検出器２６５が判定した場合、ＴＥＮＳデバイスは、ＴＥＮＳ治療を開始できない。したがって、プロセッサ５１５は、ＴＥＮＳ治療に関連するジェスチャ、例えば、治療を開始及び停止するためのジェスチャ、及び治療強度を調整するためのジェスチャ（下記参照）等について、ユーザジェスチャの検出を無効にする。プロセッサ５１５によって検出するジェスチャの集合をより小さくすることの利点は、以下を含む。（１）候補ジェスチャが少なくなるため検出精度が向上する。（２）加速度計１３２の回路を低消費電力モードで動作させてバッテリ消費を節約できる。パターン分類の分野では、分類候補の数を減らせば、（加速度計の信号からの）同じ特徴集合を使用して、より正確な分類結果（すなわち、所与の信号に関連する特徴があるターゲットユーザジェスチャに属する）が得られることが知られている。本発明の好ましい一形態では、ＴＥＮＳデバイス１００が皮膚上にない場合、候補ジェスチャを２つの候補に減らすことができる：すなわち、ジェスチャがまったくないか、又はＴＥＮＳデバイスとの何らかのインタラクション（すなわち、ジェスチャ）があるか、である。この場合、加速度計信号は、はるかに低いサンプリング周波数でサンプリングでき、加速度計１３２の回路では、何らかの全体的な動きを検出するためのより単純な分類アルゴリズムを実行できる。サンプリング周波数を低くし及びアルゴリズムを単純化することによって、加速度計１３２の回路による電力消費を低減でき、したがって、バッテリ寿命をより長くできる。
【００６０】
ジェスチャの識別及び分類のための装置及び方法については、以下でより詳細に説明する。
【００６１】
［加速度計データサンプリング］
本発明の好ましい一形態では、ＴＥＮＳデバイス１００の筐体１１１には、ＭＥＭＳベースの３軸加速度計１３２が機械的に結合される。加速度計１３２の出力は、モーション及びジェスチャアルゴリズムを実行するマイクロコントローラ（すなわち、プロセッサ５１５）と電気的に接続されている。
【００６２】
プロセッサ５１５上で実行されるジェスチャアルゴリズムは、ハンドジェスチャ（すなわち、ＴＥＮＳデバイスの筐体１１１との手のインタラクション）を高い信頼度で識別する。これらのハンドジェスチャは、ＴＥＮＳデバイスの筐体へのタップ、ＴＥＮＳデバイスへのダブルタップ（指定された時間窓６３０内の２つの連続したタップ、図９）、及びＴＥＮＳデバイスの上下へのフリックを含む。本開示に基づき、他の更なるハンドジェスチャも当業者にとっては明らかであり、他の更なるハンドジェスチャも本開示に含まれる。
【００６３】
本発明の好ましい一形態では、ＴＥＮＳデバイスがアクティブモード又は待機モードであり、ユーザの皮膚上に配置されている（すなわち、皮膚上状態が真であるため、ＴＥＮＳデバイスが皮膚上にあると考えられる）場合、ＴＥＮＳデバイス１００は、加速度計１３２のサンプリングレートを４００ヘルツに設定するが、異なるサンプリングレートを使用することもできる。ＴＥＮＳデバイスが待機モードであり、ユーザの皮膚上にない（すなわち、皮膚上状態が偽であるため、ＴＥＮＳデバイスが皮膚から外れていると考えられる）場合、加速度計１３２は、より低いレート（例えば、１００ヘルツ）でサンプリングを行うように設定される。ＴＥＮＳデバイス１００の皮膚上又は皮膚外の状態の判定は、本明細書で詳細に説明するように、皮膚上検出器２６５によって行われる。ＴＥＮＳデバイス１００が省電力モードであるとき、加速度計１３２のサンプリングレートは、更に低いレート（例えば、５０ヘルツ）に設定され、電力消費が更に低減される。
【００６４】
［デバイスモーション検出器］
本発明の好ましい一形態では、加速度計１３２は、３軸（Ｘ、Ｙ、Ｚ方向−図１参照）の全てからから５０ヘルツでサンプリングされる。サンプリングされたデータのセグメントを図８に示す。このサンプリングデータは、まず、ＴＥＮＳデバイスを平坦な表面上に置き、次に、時刻６０１において、穏やかに拾い上げることによって収集した。トレース６０２、６０３、６０４は、それぞれＸ方向、Ｙ方向、Ｚ方向からの加速度計データである。トレース６０５は、以下に定義するように、隣接するサンプルの（３軸に亘る）絶対変化の合計である。
【００６５】
【数１】
2020524577.tif 000003
ここで、Ａｊ（ｔ）は、時刻ｔにおけるｊ軸からの加速度計サンプル値である。デバイスモーションは、簡単な閾値検出器によって検出できる。
【００６６】
Ｓ（ｔ）＞ＭＴｈ
ここで、ＭＴｈは、固定閾値６０６である。本発明の別の形態では、差分の絶対値の合計が差分の二乗で置き換えられる。本発明の更に別の形態では、加速度計の１つの軸からのデータのみが考慮される。本発明の更に別の形態では、閾値６０６は、検出されたモーションイベントを引き起こさなかった以前のサンプルの平均として設定される。
【００６７】
何らかのデバイスモーションが検出されると、ＴＥＮＳデバイス１００のプロセッサ５１５は、ＴＥＮＳデバイスのモードを省電力モードから待機モードに遷移させる。ＴＥＮＳデバイスが待機モードであるが皮膚上ではない場合、カウントダウンタイマが切れる前にユーザからの操作が検出されなければ、ＴＥＮＳデバイスは、省電力モードに戻る。ユーザからのインタラクションは、接続されたリモートコントローラ１８０からのコマンド又は治療を開始するためのジェスチャの認識を含むことができる。本発明の一形態では、カウントダウンタイマを５分に設定する。ＴＥＮＳデバイスがすでに待機モードになっている場合、デバイスモーションが検出されると、カウントダウンタイマがリセットされ、待機モードから省電力モードへの遷移を遅らせる。
【００６８】
［ジェスチャ認識］
本発明の好ましい一形態では、ＴＥＮＳデバイス１００の動作の制御は、以下の表に示すような意図的なジェスチャを使用して行われる。タップジェスチャは、ＴＥＮＳデバイスの筐体１１１に迅速な衝撃を与えることであり、通常、筐体１１１の前面１１ａに対して（ポケット１１２内にある場合には、ストラップを介して）、及び／又は通常、ユーザの手の１以上の指によって行われるが、ユーザは、手で持った物体（例えば、鉛筆やペン）でデバイスをタップしてもよい。フリックジェスチャは、デバイス（筐体１１１）を短く（小さい距離で）素早く上下に動かすことである。なお、様々なジェスチャは、コンテキストに依存し、例えば、待機モードでのタップは、アクティブモードでのタップとは、異なる動作変化をもたらすことができる。
【００６９】
【表１】
2020524577.tif 000004
【００７０】
以上のようなコンテキストベース（又はモードベース）のＴＥＮＳデバイス動作のジェスチャ制御は、直感的であり、学習しやすいという利点がある。ほとんどのアクションは、単純なタップによって開始され、刺激の強度は、フリックによって制御され、ここで方向（上下）は、強度の変化に関連付けられている（すなわち、アップフリックは、刺激強度の増加に関連付けられ、ダウンフリックは、刺激強度の低減に関連付けられている）。例えば、ＴＥＮＳデバイスが待機モードであるが、ユーザの皮膚上にない場合、タップは、その状態では、治療又は較正を行うことができないため、バッテリチェックコマンドとして解釈される。ＴＥＮＳデバイスが待機モードで皮膚上の場合、ダブルタップによってデバイスは較正プロセスに入る。較正プロセスでは、電気刺激が自動的に上昇してゆき、タップは、ユーザが刺激感覚を知覚したという指示になり、これにより、較正用の刺激上昇が停止する。較正プロセスが完了すると、ＴＥＮＳデバイスは、待機モードに戻る。ＴＥＮＳデバイスが待機モードであり、皮膚上にある場合、タップによって治療刺激が開始される（ＴＥＮＳデバイスは、アクティブモードになる）。ＴＥＮＳデバイスがユーザの皮膚上にあり、デバイスがアクティブモードである（すなわち、電気刺激が発生している）場合、同じタップジェスチャによって、治療刺激が停止され、デバイスが待機モードに戻る。
【００７１】
本発明の別の形態では、ＴＥＮＳデバイスの筐体１１１にジャイロスコープ１３３が機械的に接続される。下肢の動きパターンは、ジャイロスコープ１３３を使用して監視され、及びＴＥＮＳデバイスへの制御入力として「解読」される。例えば、以下に限定されるものではないが、ＴＥＮＳデバイスを下腿に装着し、椅子に座り、足を床に静止させているユーザは、容易にかつ目立たないように、下肢を外側−内側方向（左右）に揺らすことができる。ジャイロスコープ１３３は、特定の時間窓（例えば、１秒）内に発生するパターン及び脚の揺れの回数を検出し、このパターンをＴＥＮＳ制御入力として使用できる。例えば、ジャイロスコープ１３３によって検出される単一の脚揺れは、加速度計１３２によって検出されるシングルタップと等価であると解釈できる。ＴＥＮＳデバイスの動作モード（例えば、省電力モード、待機モード、アクティブモード）によって、単一の脚揺れの動きの解釈を異ならせてもよく、例えば、ＴＥＮＳデバイスが待機モードであり皮膚上状態の場合、脚の揺れによって刺激を開始させてもよく、ＴＥＮＳデバイスが電気刺激を送達するアクティブモードである場合、脚の揺れによって刺激を停止させてもよい。同様に、所与の期間（例えば、１秒）内の一往復の前後の脚の揺れをダブルタップと同等として扱ってもよい。連続した前後の脚の揺れを検出し、そのような検出結果をＴＥＮＳデバイスに対する異なる制御コマンドとして扱ってもよい。
【００７２】
本発明の別の形態では、ジャイロスコープ１３３及び加速度計１３２から受信したデータの組み合わせを使用して、ジェスチャ及び脚の動きの組み合わせを検出し、ＴＥＮＳデバイス１００の動作をボタンなしで制御する。
【００７３】
［タップ及びフリック（パルス）検出器］
本発明の好ましい一形態では、４００ヘルツでサンプリングされた加速度計データを解析して、タップ又はフリック（ここでは、このようなタップ又はフリックを集合的にパルスと呼ぶ。）に対応する特定の波形形態を検出する。ここに説明するように、分離間隔が特定の範囲内にある時間窓６３０（図９）に相当する２つのタップは、独立したジェスチャであるダブルタップとして分類できる。
【００７４】
図９は、ユーザの上ふくらはぎに固定的に巻かれたＴＥＮＳデバイスの筐体に機械的に接続された加速度計のＸ軸、Ｙ軸、Ｚ軸からのサンプル波形を示している。グループ６１０は、シングルタップジェスチャに対応し、特徴６１１は、Ｘ軸からの加速度計データであり、特徴６１２は、Ｙ軸からの加速度計データであり、特徴６１３は、Ｚ軸からの加速度計データである。グループ６１５は、ダブルタップジェスチャに対応し、特徴６１６は、Ｘ軸からの加速度計データであり、特徴６１７は、Ｙ軸からの加速度計データであり、特徴６１８は、Ｚ軸からの加速度計データである。グループ６２０は、フリックアップジェスチャに対応し、特徴６２１は、Ｘ軸からの加速度計データであり、特徴６２２は、Ｙ軸からの加速度計データであり、特徴６２３は、Ｚ軸からの加速度計データである。グループ６２５は、フリックダウンジェスチャに対応し、特徴６２６は、Ｘ軸からの加速度計データであり、特徴６２７は、Ｙ軸からの加速度計データであり、特徴６２８は、Ｚ軸からの加速度計データである。なお、フリックアップ及びフリックダウンの加速度計データは、最初の強いピークの極性を調べることによって識別でき、正のピークは、フリックアップジェスチャを示し、負のピークは、フリックダウンジェスチャを示す。
【００７５】
タップ又はフリックに関連する波形の形態は、非常に類似している。タップとフリックの両方に対する加速度計信号は、非常に類似した波形構造を共有するため、検出アルゴリズム（すなわち、パルス検出器）を使用して、タップとフリックの両方を検出できる。タップイベントに関連する加速度計信号の拡大図を図１０に示す（６４１及び６４２参照）。このような類似にもかかわらず、タップとフリックの間には幾つかの弁別的な特徴がある。タップは、フリックよりも波形の大きさが大きく、フリックの方がタップよりも活動の持続時間が長い。本発明の好ましい一形態では、１つのパルス検出器を使用して一組のパラメータ（すなわち、より短いパルス持続時間及びより大きいパルス振幅）によりタップを検出し、同じパルス検出器を使用して異なる組のパラメータ（すなわち、より長いパルス持続時間及びより小さい振幅）によりフリックを検出する。本発明の別の形態では、タップ検出のために専用検出器を使用し、フリック検出のために別の専用検出器を使用する。
【００７６】
本発明の好ましい一形態では、デバイスが皮膚上にある場合（すなわち、図１に示すように上側のふくらはぎ上に配置されている場合）、ユーザは、ＴＥＮＳデバイスをＺ軸方向に（すなわち、皮膚に垂直に、すなわち、皮膚表面に向けられた筐体前面１１ａ上に）タップする尤度がより高いため、タップジェスチャ検出のためにＺ軸からの加速度計データを使用する。同様に、デバイスが皮膚上にある場合（すなわち、図１に示すように、上ふくらはぎ上に配置されている場合）、ユーザは、ＴＥＮＳデバイスをＹ軸方向に上下にフリックする（図示しないが、筐体１１１の下側（ユーザの足側）が上方にフリックされ、又は筐体１１１の上側（ユーザの頭側）が下方にフリックされる）尤度がより高いため、フリックジェスチャ検出のためにＹ軸からの加速度計データを使用する。本発明の別の好ましい形態では、３つの全ての軸からの加速度計データをパルス（タップジェスチャ及びフリックジェスチャ）検出に使用し、いずれかの軸からの波形形態がパルス波形テンプレートに適合したときにパルスを検出し、これによってパルス検出感度を高める。本発明の別の好ましい形態では、３つの全ての軸からの加速度計データをパルス（タップジェスチャとフリックジェスチャ）検出のために使用し、３つの全ての軸からの波形形態がパルス波形テンプレートに適合したときにパルスを検出し、これによってパルス検出の特定可能性を向上させる。
【００７７】
［パルススクリーナ］
本発明の１つの好ましい形態では、ハイパスフィルタリングにより静重力が除外された加速度計データをパルススクリーナによってスクリーニングし、候補波形セグメントにフラグを立てる。指定された軸からの波形の、絶対値が閾値を超えた後、所定の時間窓内で閾値に収まるものは、いかなる波形も、その波形セグメントがパルスである可能性があることを示すフラグをトリガする。フラグをトリガする幾つかのサンプル波形セグメントを図１０に示す。波形６４１、６４２は、有効タップに関連付けられ、波形６４３、６４４は、有効タップに関連付けられない。次に、パルスアナライザ（下記参照）がパルススクリーナによってフラグ付けされた波形セグメントを解析し、フラグ付けされた波形セグメントを有効なパルスとして確認又は除外する。本発明の別の形態では、パルスアナライザが全ての波形セグメントを解析し、有効なパルスの存在を判定する。
【００７８】
［パルスアナライザ］
本発明の好ましい形態では、３軸加速度計１３２は、各軸方向について４００Ｈｚのレートで生の加速度測定データを出力する（すなわち、加速度計１３２は、Ｘ軸方向について毎秒４００回の加速度測定値、Ｙ軸方向について毎秒４００回の加速度測定値、及びＺ軸方向について毎秒４００回の加速度測定値を報告し、合計で毎秒１２００回分の測定値を出力する）。本発明の好ましい形態では、加速度「パルス」イベント、すなわち、ユーザによるＴＥＮＳデバイス１００上での意図的なジェスチャ（例えば、タップ、スラップ、フリック等）の検出のために、Ｚ軸からの加速度データＡｚ（ｔ）のみを解析する（以下、Ｚ軸を「主軸」とも呼ぶ）。本発明の別の形態では、加速度「パルス」イベントを検出するために、３つの軸のそれぞれからの加速度データが独立して解析される。本発明の更に別の形態では、３方向全てからの加速度データを、以下のように定義される瞬間加速度Ａ（ｔ）に組み合わせる。
【００７９】
【数２】
2020524577.tif 000005
そして、この瞬間加速度信号を解析して、加速度「パルス」イベントを検出する。
【００８０】
タップ又は同様のユーザジェスチャによって生成される加速パルスイベント（ここでは、単に「パルス」とも呼ぶ）の定義上の特徴は、加速が閾値（すなわち、正又は負の加速閾値）を超え、指定された期間（すなわち、持続時間閾値）内にその閾値以下に戻ることである。加速度データは、最初にハイパスフィルタ処理され、これにより重力の定数効果が除去される。本発明の好ましい形態では、ハイパスフィルタのカットオフ周波数を２Ｈｚに設定して、加速度計データの他の使用範囲を許容しながら重力の影響を除去する。
【００８１】
図１１は、加速度計によって測定される「真」タップイベント（すなわち、タップ等の意図的なユーザジェスチャによって生成されるイベント）についてのＡｚ（ｔ）のサンプルトレース７０１を示している。ここでは、このような「真」タップイベントを「真」加速パルスイベントとも呼ぶ。加速度波形７０１は、ゼロ付近から開始する。時点７０３において、波形７０１が正の閾値７１２又は負の閾値７０２のいずれか（図１１に示す例では、負の閾値７０２）を横切ると、タイマが始動する。時点７０４において、波形７０１が再び同じ閾値７０２を横切ると、タイマは、停止する。タイマ値（すなわち、時点７０４と時点７０３との間の時間差７０８）が所定の持続時間閾値未満である場合、時点７０４においてパルス（加速パルスイベントとも呼ぶ。）が検出されたとみなされる。
【００８２】
真タップイベント（すなわち、意図的なユーザジェスチャを反映したイベント）の場合、パルスは、通常、主軸に沿って（すなわち、Ｚ軸に沿って）、最も大きく、よりステレオタイプ化される。この結果、本発明の好ましい形態では、パルス検出は、Ｚ軸のみで有効とし、これにより、真パルスイベントの検出精度が向上し、「偽」パルスイベント（すなわち、意図的なユーザジェスチャを反映していないイベント）が制限される。本発明の別の形態では、パルス検出は、３つの軸の全てで行われる。各軸についての対応する閾値は、ＴＥＮＳデバイス１００の構成に応じて異なっていてもよい。本発明の一形態では、対象とする全ての軸方向のパルス検出が肯定的である場合にのみ、パルス検出結果が肯定的であるとみなされる（すなわち、パルスが検出されたとみなされる）。本発明の別の形態では、検討対象のいずれかの軸方向のパルス検出が肯定的である場合、パルス検出結果が肯定的であるとみなされる。本発明の更に別の形態では、検討対象の軸の過半数についてのパルス検出結果が肯定的である場合、パルス検出結果が肯定的であるとみなされる。
【００８３】
ユーザがＴＥＮＳデバイスとインタラクトする手法に応じて、パルスの正又は負のピーク（加速トレース波形）のいずれかがより大きくなり、検出閾値７０２又は検出閾値７１２を横切る。本発明の好ましい形態では、正の閾値７１２又は負の閾値７０２のいずれかを横切り、指定された期間内に戻ることは、パルスイベントの検出を構成するとみなされる。換言すれば、閾値７１２と閾値７０２との間にある加速度ピークは、パルスイベントを構成せず、閾値７１２と閾値７０２とが一緒になって非パルス帯を効果的に形成する。ゼロより大きいが指定された持続時間よりも短い持続時間の間に加速度トレース波形７０１が非パルス帯の外側に一時的に出ると、パルスイベントが検出される。本発明の好ましい一形態では、両方の閾値（すなわち、閾値７０２及び閾値７１２）が同じ大きさ又は絶対値を有していてもよい。本発明の別の形態では、正の閾値７１２は、負の閾値７０２よりも（絶対値が）大きくてもよく、これにより、パルス波形をパルスイベントとして認識するために、より大きい正のピークを効果的に要求できる。本発明の更に別の形態では、正の閾値７１２は、可能な最大測定加速度値を超える非常に大きな数に設定される。正の閾値７１２をこのような非常に大きな数に設定することにより、パルス検出器５１５は、正のパルスピークを効果的に無視し、パルスイベントを構成するためには、パルス波形が負の極性（すなわち、振幅が閾値７０２を横切る負のピーク）を有することが必要となる。
【００８４】
したがって、パルス検出器（プロセッサ５１５によって実行されるアルゴリズム）は、振幅の正負の閾値（標準重力加速度ｇ単位で測定される）及び継続時間の閾値（時間単位ミリ秒（ｍｓｅｃ）で測定される）という２つの主要なパラメータを有するパルス検出アルゴリズムを利用する。本発明の好ましい形態では、振幅閾値及び持続時間閾値は、経験的に（例えば、集団研究から）導出される固定値である。１つの集団研究に基づいて、パラメータは、次のように設定される。正の振幅閾値：＋１ｇ、負の振幅閾値：−１ｇ、継続時間の閾値：１５ミリ秒。本発明の別の形態では、振幅閾値及び持続時間閾値は、個々のユーザの行動に適合される。例えば、より弱いパルス波形の後に常により強いパルス波形が続く場合（すなわち、より弱いパルス波形が閾値７０２を僅かに超えず、より強いパルス波形が閾値７０２を超える場合）、閾値７０２（絶対値）を低減することによって、パルス検出器５１５がより弱いタップを「真」加速パルスイベント（ユーザの意図的なジェスチャ）として正しく認識することを可能にしてもよい。異なる軸における閾値の適応及び区別のためにも同様のプロセスを使用できる。上述のように、同じプロセッサ５１５を使用して、より低い振幅閾値（例えば、＞０．３ｇ）及び２５ｍｓと７５ｍｓとの間の持続時間範囲を有するフリックパルスを検出できる。
【００８５】
図１２は、歩行によって引き起こされる「偽」パルスイベントの例を示している。より詳細には、この例では、加速度波形７３１は、時刻７３３で正の閾値７４２を横切り、時刻７３４で正の閾値７４２未満に戻る。図１１に示すような「真」加速パルスイベント（「真」加速パルスイベントが発生する前に加速トレースが０の近くに留まるイベント）とは異なり、図１２の「偽」パルスイベントでは、時刻７３３の前の加速度波形７３１は、一貫してゼロからずれており、これは、歩行のような日常的なユーザの振る舞いの間に典型的に観察される。また、図１２は、前述のパルス閾値７３２及びパルス閾値７４２よりもはるかに小さい、遷移モーション閾値と呼ばれる第２の閾値（７３５及び７４５）の組も示している。閾値７３５と閾値７４５との間の加速度値は、非遷移モーション領域７５５を構成する。「偽」加速パルスイベントは、パルス検出に先立って、これらのより小さい閾値７３５及び閾値７４５（すなわち、非遷移モーション領域７５５の外側）を超える加速を有する傾向があり、この事実を用いて（下記参照）、図１２のトレース７３１が「真」加速パルスイベントとして分類されることを防止する。
【００８６】
［遷移モーション検出器］
ＴＥＮＳデバイス１００のプロセッサ５１５は、歩行等の間の遷移モーションを検出するための遷移モーション検出器を含む。遷移モーションの定義上の特徴は、ハイパスフィルタリングされた加速度波形が振幅閾値を超え、少なくともしばらくの間、その振幅閾値を超えたままであることである。より詳細には、図１３は、歩行等の間の遷移モーションに対応する加速度波形７６１のセグメントを示している。加速度波形７６１が遷移モーション閾値７６８より上又は遷移モーション閾値７６２より下にあるとき、カウンタ７６３は、トレース７６１に沿って採取される時間サンプル毎にインクリメントされ、この他の場合、カウンタ７６３は、デクリメントされる。換言すれば、加速度波形７６１の波形サンプルが、閾値７６２及び閾値７６８によって画定される非遷移モーション領域７６９の外側に留まっている場合、サンプル時間毎にカウンタ７６３が１ずつインクリメントされ、この他の場合、すなわち、各波形サンプルが非遷移モーション領域７６９内にある場合、カウンタ７６３が１つずつデクリメントされる。カウンタ７６３の値は、０と特定のカウンタ閾値７６４（例えば、図１３の例示的なカウンタ閾値６）との間に制限される。時間カウンタ値７６３が閾値カウンタ値７６４に等しくなると、（例えば、プロセッサ５１５のマイクロプロセッサ内で）フラグがセットされ、遷移モーションの発生が示される。適切な遷移モーション閾値７６２及び閾値７６８、並びに適切なカウンタ閾値７６４によって、プロセッサ５１５の遷移モーション検出器によって利用される遷移モーション検出アルゴリズムは、歩行及び他の日常的な活動によるユーザの身体の動きを検出できる。本発明の好ましい形態では、遷移モーションイベントの検出を最大化するために、３つの軸の全てについて遷移モーション検出を有効にする（すなわち、３つの軸全てについて、加速度が検出され、加速度データが利用される）。本発明の別の形態では、プロセッサ５１５の遷移モーション検出器の性能を最適化することが見出された軸方向に対してのみ遷移モーション検出を有効にする。
【００８７】
プロセッサ５１５の遷移モーション検出器が使用する遷移モーション検出アルゴリズムは、振幅の正負それぞれの閾値（ｇ単位で測定される）、及び継続時間の閾値（ミリ秒単位で測定される）という、３つの主なパラメータを利用する。本発明の好ましい形態では、持続時間閾値は、離散的にサンプリングされた波形についての等価な離散的サンプルカウンタ値に変換される。本発明の好ましい形態では、正及び負の振幅閾値、及びカウンタ閾値は、（例えば集団研究から）実験的に導出される固定値である。１つの集団研究に基づいて、パラメータは、好ましくは、以下のように設定される。正の振幅閾値：＋０．０６２５ｇ、負の振幅閾値：−０．０６２５ｇ、持続時間の閾値：１５ミリ秒（これは、４００Ｈｚでサンプリングした波形のカウンタ閾値６に相当する）。本発明の別の形態では、正及び負の振幅閾値、及びカウンタ閾値は、個々のユーザの行動に適合される。
【００８８】
［遷移モーション検出器とパルスアナライザの統合：パルス検出器］
ユーザがＴＥＮＳデバイス１００を意図的にタップすると、加速パルスイベント（又は「パルスイベント」）が生成され、これは、プロセッサ５１５のパルス検出器によって使用される前述のパルス検出アルゴリズムによって容易に識別される（すなわち、加速パルスイベントの信頼できる検出を保証するために、パルス検出器は、高い感度を有するように設計される）。しかしながら、ジェスチャ制御が実用的な価値を有するためには、パルスイベントは、ユーザによって開始された実際のタップイベントに対応しなければならず、すなわち、システム全体が高い特定可能性を有する必要がある。歩行のような遷移モーションは「偽」パルスイベントをもたらす可能性があるが、これらの「偽」パルスイベントは、「真」パルスイベント（すなわち、意図的なユーザジェスチャを反映したイベント）に対する感度を低下させることなく、識別され、除外される必要がある。「偽」パルスイベントの根本的な原因は、遷移身体モーション（transient body motion）であるため、本発明は、歩行及び他の日常的な身体の動きによる遷移モーションを検出し、遷移モーションに時間的に近接するパルスイベントを拒絶する。換言すれば、プロセッサ５１５のパルス検出器のパルス検出アルゴリズムは、意図的なユーザジェスチャ（例えば、ＴＥＮＳデバイス１００上のユーザによるタップ）によって引き起こされる「真」パルスイベントを見逃さずに検出できるように高い感度を有する必要があるが、ＴＥＮＳデバイスは、歩行及び他の日常的な身体の動きによって引き起こされる「偽」パルスイベントを識別し、意図的なユーザジェスチャとは無関係であるとして、このような「偽」パルスイベントを拒絶できる必要もある。
【００８９】
遷移モーション及び加速パルスイベントの時間的近接は、実際のユーザジェスチャ（例えば、ＴＥＮＳデバイス１００のタップ）に対応する「真」加速パルスイベントと、歩行及び他の日常的な身体の動きによる遷移モーションによって引き起こされる「偽」加速パルスイベントとを識別するための信頼できる判断材料となる。本発明の重要な態様は、このような時間的近接の認識及び判定である。
【００９０】
パルスイベントは、１０〜２０ミリ秒持続する鋭い初期偏向を有し、続いて５０〜１００ミリ秒持続する減衰振動を有する。したがって、「真」パルスイベント（すなわち、意図的なユーザジェスチャを反映したイベント）も、「真」パルスイベントの直後に遷移モーションイベントを生成する。したがって、本発明の好ましい形態では、「真」パルスイベントと「偽」パルスイベントとを区別する目的で、パルスイベントの直後の遷移モーションイベントを無視する。一方、パルスイベントから時間的に離れている遷移モーションイベントは、「真」パルスイベントと「偽」パルスイベントとを区別するために使用される。
【００９１】
詳しくは、本発明のこの態様の好ましい形態のフローチャートを図１４に示す。各軸（Ａｘ（ｔ），Ａｙ（ｔ），Ａｚ（ｔ））から取得された加速度データ（ブロック７８０）は、プロセッサ５１５の遷移モーション検出アルゴリズムによって個別に処理され（ブロック７８４）、これにより、上述のように遷移モーションが検出される。検出された遷移モーションイベントは、各軸（Ｂｘ，Ｂｙ，Ｂｚ）のバッファに格納される（ブロック７８６）。バッファの内容は、直近の期間（例えば、直近の１５０ミリ秒間）に検出されたイベントのみを含むように更新される。バッファのいずれかが「真」である場合（すなわち、検出された遷移モーションイベントを反映する場合）、プロセッサ５１５は、遷移モーションフラグＭを「真」に設定し（ブロック７８８）、この他の場合、遷移モーションフラグＭを「偽」に設定する。
【００９２】
主軸方向（Ａｚ（ｔ））からの加速度データ７８０は、プロセッサ５１５のパルス検出器アルゴリズムによって処理される（ブロック７８２）。この現時点でのパルス検出結果Ｐと、遷移モーション検出結果（フラグＭによって要約される）の履歴とが、プロセッサ５１５によって解析される（ブロック７９０）。パルスが検出されたとき（すなわち、パルス検出フラグＰが「真」であるとき）、遷移モーションがない場合（すなわち、遷移モーションフラグＭが「偽」の場合、）、プロセッサ５１５は、そのパルスイベントを、意図的なユーザジェスチャを反映する「真」パルスイベントとして受理し（ブロック７９２）、この他の場合、プロセッサ５１５は、そのパルスイベントを「偽」パルスイベントとして拒絶する（ブロック７９４）。
【００９３】
遷移モーションと加速パルスイベントの時間的近接は、実際のユーザジェスチャ（例えばＴＥＮＳデバイス１００のタップ）に対応する「真」加速パルスイベントと、歩行及び他の日常的な身体の動きによる遷移モーションによって引き起こされる「偽」加速パルスイベントとを識別するための判断材料となる。「真」加速パルスイベントと「偽」加速パルスイベントとを区別する際に要求される、遷移モーションイベントと加速パルスイベントとの間の時間的近接の度合いは、バッファの持続時間（ブロック７８６）によって設定される。
【００９４】
本発明の好ましい形態では、バッファの持続時間（ブロック７８６）は、デバイスを装着しているユーザから取得したデータに基づいて、最適化手順によって判定される。
【００９５】
この最適化における１つの重要な因子は、次の通りである。物理法則、特に運動学の法則によって、相対的に静止している状態から別の相対的に静止している状態への物体の線形変位は、ある方向（動きの開始）の加速度と、これに続く反対方向（動きの停止）の加速度を含む。図１１に示すようなパルスからの加速度計データは、この物理的理解と一致する２つの顕著なピーク７２０及びピーク７３０を示す。４００Ｈｚのサンプルレートは、これらのピークを捕捉するのに十分高速であるが、パルス波形の異なる例は、異なる相対的ピークサイズを有し、これは、加速度計サンプルと、実際の物理的ピークとの時間的整合がランダムであることによる影響であると推定される。図１１では、負のピーク７２０の後に、より大きい正のピーク７３０が続いている。負のピーク７２０は、負の閾値７０２を横切り、この負のピークに基づいて、時刻７０３においてパルスが検出される。しかしながら、パルス波形７０１の全体的な形状及び負の閾値７０２によっては、第１のピーク７２０によってパルスが検出されないこともある。第２のピーク７３０のサイズ及び正の閾値７１２のサイズによっては、第２のピークでパルスが検出されることもある。このような場合、第１のピーク７２０によってパルスが検出されなかったとしても、このピークは、遷移モーション検出閾値７６２（図１３）を横切っていることがあり、加速度プロファイル及び遷移モーション持続時間閾値に基づいて、遷移モーションが検出されることがある。したがって、本発明の好ましい形態では、遷移モーションバッファ７８６は、検出されたパルスの直前の間隔（０〜５０ミリ秒）を除外する時間間隔を範囲とする。本発明の好ましい形態では、これらのバッファは、検出されたパルスの前の５０〜１５０ミリ秒の時間間隔をカバーする。これらのパラメータの他の値も想到されており、これらも本発明の範囲に含まれる。
【００９６】
［リモートコントローラ］
ＴＥＮＳデバイス１００は、例えば、無線通信プロトコル、好ましくは、近距離及び／又は無線周波数（例えば、ブルートゥース、ＲＦＩＤ、及びＮＦＣ）を介してＴＥＮＳデバイス１００と通信可能なリモートコントローラ１８０（例えば、無線リンクモジュール１８５）によって制御してもよい。このようなリモートコントローラの例としては、ブルートゥース対応のスマートフォン又は（例えば、手首に着用される）スマートウォッチ、無線周波数識別（radio frequency identification：ＲＦＩＤ）又は近距離無線通信（near-field communication：ＮＦＣ）タグを備えたリング（指輪）、ＲＦＩＤ又はＮＦＣタグを備えたブレスレット又はリストバンド等の上で動作するアプリが挙げられる。ＴＥＮＳデバイス１００の動作は、リモートコントローラ１８０からＴＥＮＳデバイスへの安全な無線リンクを介してＴＥＮＳデバイス１００に送信されるコマンドによって直接制御できる。また、リモートコントローラ１８０は、ＴＥＮＳデバイス１００を制御するための他のスキームを補足するように、又はＴＥＮＳデバイス１００を制御するための他のスキーム、例えば前述のジェスチャ制御を修正するように機能できる。例えば、以下に限定されるものではないが、ＴＥＮＳデバイス１００は、ＲＦＩＤリング又はブレスレットがＴＥＮＳデバイスの近くで検出された場合、タップジェスチャが検出されやすくなるように（すなわち、閾値パラメータを緩和するように）構成してもよい。
【００９７】
［無線周波数識別（ＲＦＩＤ）タグ］
無線周波数識別（ＲＦＩＤ）は、電磁場を使用して、電子的に保存された情報を近くのＲＦＩＤリーダにリモート送信する。一般的に、受動型及び能動型の２種類のＲＦＩＤタグが利用可能である。受動型ＲＦＩＤタグは、近くのＲＦＩＤリーダの探査電波からエネルギを取得し、そのエネルギを使用して、ＲＦＩＤタグからＲＦＩＤリーダに信号を送信する。能動型ＲＦＩＤタグは、記憶された情報を最大数百メートル送信するためのローカル電源（例えば、電池）を有する。
【００９８】
本発明の１つの好ましい形態において、受動型ＲＦＩＤタグは、ユーザの指に装着されるリングに埋め込まれる。ＲＦＩＤリーダは、ＴＥＮＳデバイスに埋め込まれる。ＲＦＩＤリング（すなわち、リモートコントローラ１８０）をＴＥＮＳデバイスの近くに配置すると、ＲＦＩＤリーダとＲＦＩＤタグは、適切なセキュリティ情報を交換する。ＲＦＩＤタグが検証されて、このＲＦＩＤタグ（すなわち、ユーザの指に装着されたリング）からの情報がＴＥＮＳデバイスに向けられたものであると判定された後、ＲＦＩＤリング（すなわち、リモートコントローラ１８０）からの情報がＴＥＮＳデバイス１００に送信される。この送信は、ＴＥＮＳデバイス１００の無線リンクモジュール１８５によって受信され、次にＴＥＮＳデバイス１００によって解釈される。
【００９９】
本発明の好ましい一形態では、ＲＦＩＤリング（すなわち、リモートコントローラ１８０）からの情報を使用して、ＴＥＮＳデバイスが待機モード１７４にあり、皮膚上状態が「真」であるときに治療を開始する。同様に、ＲＦＩＤリングからの情報は、ＴＥＮＳデバイスがアクティブモード１７６（すなわち、治療刺激パルスをユーザに送達するモード）であるときに、治療を停止（すなわち、電気刺激を停止）するためにも使用される。
【０１００】
本発明の別の好ましい形態では、検証されたＲＦＩＤリングが存在することにより、プロセッサ５１５のパルス検出器の動作が変更され、ユーザジェスチャに対するＴＥＮＳデバイスの応答性が向上する（図６参照）。上述したように、身体の動き（例えば、歩行）によって加速度計がジェスチャの波形に類似した波形を生成することがあるため、遷移モーションを使用して、プロセッサ５１５のパルスアナライザによって検出された特定のパルスをブロックする。しかしながら、ＲＦＩＤリング（すなわち、リモートコントローラ１８０）がＴＥＮＳデバイス１００の近くで検出された場合、加速度計によって感知されたパルス状のモーションは、実際にユーザが意図したジェスチャによって生成されたものである尤度が高まる。したがって、プロセッサ５１５は、ＲＦＩＤリングの存在によって、遷移モーションのために有効なパルスを拒絶する尤度を減少させるように構成でき、これにより、ＲＦＩＤリングが装着された手がＴＥＮＳデバイスの近くで検出されたときに、意図的なユーザジェスチャに対するＴＥＮＳデバイスの応答性を向上させる。
【０１０１】
ＲＦＩＤリングは、プロセッサ５１５のパルスアナライザを個々のジェスチャパターンにカスタマイズしてその性能を向上させるために使用できる。例えば、以下に限定されるものではないが、各個人のダブルタップのペース（すなわち、ダブルタップを意図する２つのタップ間の時間遅延、図９の６３０）は異なる。同様に、タップジェスチャを実行するために各ユーザが使用する力の量も異なる場合がある。初期的には、プロセッサ５１５のパルスアナライザは、ダブルタップ遅延６３０、及び加速度計信号閾値７０２、７１２を、大多数のユーザに対して最適化された閾値に設定してもよい。機械学習の分野では、訓練データの品質が学習速度を決定することはよく知られている。換言すれば、既存の分類規則をより積極的に修正するためには、ほとんど又は全く雑音のない高品質の訓練データを使用するべきであり、一方、低品質（高雑音）の訓練データによって既存の分類規則を修正することは、慎重に行うべきである。ＲＦＩＤリングの存在は、トレーニングデータ品質が良好であることを示唆するため、プロセッサ５１５のパルスアナライザは、より少ないトレーニングサンプルでユーザの特定のジェスチャパターンに適合させることができる。複数のユーザが同じＴＥＮＳデバイスを共有する場合、各ユーザの固有のＲＦＩＤリングは、どのユーザがＴＥＮＳデバイスとインタラクトしようとしているかのインジケータとして機能する。この結果、プロセッサ５１５のパルスアナライザは、検出されたＲＦＩＤリングに基づいて、ユーザ毎にカスタマイズできる。パルスアナライザのカスタマイズは、単にパラメータの更新の形式で行ってもよく、加速度計波形の解析の手法を変更する形式で行ってもよい。
【０１０２】
ＲＦＩＤリングは、プロセッサ５１５のパルスアナライザの動作をカスタマイズするために使用できるだけではなく、ＴＥＮＳデバイスの他の態様をカスタマイズするためにも使用できる。更なる例として、以下に限定されるものではないが、各個人は、刺激強度（刺激パルス振幅４９３）及び刺激パルスパターン（例えば、パルス周波数４９５、治療セッション期間４８２、及び隣接する治療セッション間の間隔）を含む、それぞれの好ましいＴＥＮＳ治療プロファイルを有する。ＴＥＮＳデバイスは、複数の治療プロファイルを格納でき、ＴＥＮＳユーザを識別するために必要な情報がユーザのＲＦＩＤリングから検出されると、個人に特有のプロファイルをコントローラ４５２にロードできる。他のカスタマイズ方式の例として、ＲＦＩＤリング（又は他のＲＦＩＤタグ）がユーザのベッドの近くに位置することによって、（昼と夜で刺激の好みが異なる場合）ＴＥＮＳデバイスを夜間治療プロファイルに自動的に遷移させてもよい。
【０１０３】
本発明の別の形態では、受動型ＲＦＩＤタグが、ＴＥＮＳユーザによって着用されるブレスレット、又はユーザが携帯するキーチェーン等に埋め込まれる。また、ユーザの家（又は職場）の入口にＲＦＩＤタグを設置して、屋内（活動的でない又は夜間）の治療プロファイルと屋外（より活動的又は昼間の）の治療プロファイルとの間でユーザのＴＥＮＳ治療プロファイルを切り替えてもよい。
【０１０４】
［動作例］
本発明の好ましい一形態では、ＴＥＮＳデバイス１００は、刺激器１１０と、刺激器の筐体１１１を保持するためのポケット１１２を有するストラップ１３０と、コネクタ２１０、２１２を介して刺激器に（電気的及び機械的に）接続された電極アレイ３００とを備える。ジェスチャ検出及びモーション検出のためのプロセッサ５１５は、好ましくは、刺激器１１０の筐体１１１内に配置される。ストラップ１３０は、ＴＥＮＳデバイスがユーザの上ふくらはぎ１４０上に固定的に配置できるようにし、これにより、電気刺激パルスを用いて疼痛緩和治療を提供できる。
【０１０５】
ＴＥＮＳデバイス１００が皮膚上に配置されない場合、ＴＥＮＳデバイス（より具体的には、刺激器筐体１１１）は、通常、机の上等の静止表面上に配置される。ＴＥＮＳデバイス１００が、設定された期間（例えば、５分）内に動き及びリモートコントローラ１８０との間のアクティブな通信を検出しない場合、ＴＥＮＳデバイスは、（まだ省電力モード１７２になっていない場合）自動的に省電力モード１７２に入る。省電力モードでは、加速度計１３２は、５０ヘルツでサンプリングしたデータに基づいて全体的な動きのみを検出する低電力モードで動作する。また、省電力モードでは、消費電力を節約するために、無線リンクモジュール１８５もオフにされる。
【０１０６】
ユーザがＴＥＮＳデバイスを使用する準備ができると、ユーザは、まず、ＴＥＮＳデバイス１００を持ち上げる。プロセッサ５１５は、デバイスモーションを検出し、ＴＥＮＳデバイスを待機モード１７４に遷移させる。この待機モードでは、ＴＥＮＳデバイスは、無線リンクモジュール１８５をオンにして、１つ以上のリモートコントローラ１８０との通信を確立又は再確立できるようにする。刺激器筐体（ユーザ入力５１２としての動作、図４参照）に対するシングルタップは、バッテリチェックジェスチャコマンドとして機能する。ＴＥＮＳデバイスは、このバッテリチェックジェスチャコマンドを認識すると、ユーザインタフェース要素１０１を介して（例えば、ＬＥＤを作動させることによって）バッテリレベルをユーザに表示する。
【０１０７】
無線リンクモジュール１８５を介してスマートフォンアプリ（リモートコントローラ１８０上で実行される）を使用して、ＴＥＮＳデバイスの動作を制御し、例えば、デバイス設定及びユーザの好みをカスタマイズできる。同様に、ＲＦＩＤタグ（例えば、ＲＦＩＤリングの形式）を使用して、ユーザがＲＦＩＤリングをＴＥＮＳデバイスに近づけたときに、そのユーザのための適切なデバイス設定をロードするようにＴＥＮＳデバイスをトリガしてもよい。ＲＦＩＤタグは、ユーザ又はユーザの介護者によって予めプログラムできる。
【０１０８】
ＴＥＮＳデバイスが待機モードであるとき、ＴＥＮＳデバイスは、皮膚上検出モジュール２６５も有効にする。皮膚上検出に必要な電圧設定は、通常、（ＴＥＮＳデバイスがアクティブモードであり、治療刺激が必要な場合に必要とされる１００ボルトではなく）２０ボルトのみでよい。皮膚上検出モジュール２６５は、ＴＥＮＳデバイスが皮膚上に配置されると、皮膚上状態を「真」に設定する。皮膚上状態が真になる前に、加速度計のサンプリングレートを（省電力モードの５０ヘルツから）１００ヘルツに高めて、全体的なユーザジェスチャを検出できるようにする（但し、この時点では、有効なユーザジェスチャが制限されているため、サンプリングレートをアクティブモードの４００ヘルツにまで高める必要はない）。皮膚上ステータスが「真」ではなく、ユーザからこれ以上のアクション（認識されたジェスチャ、リモートコントローラからのアクティブな通信、デバイスモーション等）が５分間検出されない場合、ＴＥＮＳデバイスは、自動的に省電力モードに戻る。
【０１０９】
ＴＥＮＳデバイスが待機モードであるときに皮膚上ステータスが真に設定されると、皮膚上ステータスが偽に変更されるか、又はＴＥＮＳデバイスがアクティブモード１７６に遷移するまで、ＴＥＮＳデバイスは、待機モード１７４に留まる。待機モードからアクティブモードへの遷移は、リモートコントローラ１８０（例えば、スマートフォン上で動作するアプリ）からのコマンドによって又はプロセッサ５１５によって認識されるジェスチャによってトリガしてもよい。デフォルト状態では、プロセッサ５１５は、高い特定可能性を保証できるように「治療開始」ジェスチャ（シングルタップ）を認識するためのパラメータを設定し、すなわち、真に意図されたジェスチャのみが認識され、歩行などの他の活動が間違ってタップ等に分類される可能性を最小化する。意図せずにＴＥＮＳ治療が開始されると、ユーザを驚かす可能性があるため、望ましくない。しかしながら、認識されたＲＦＩＤリングが、ジェスチャらしき加速度計データが記録されたときに近くにある場合、リングの近接は、ユーザが（ＲＦＩＤリングを装着した）自らの手をＴＥＮＳデバイスに近づけ、ＴＥＮＳデバイスとインタラクトすることを意図していることを示す信頼性の高い指標であるため、プロセッサ５１５は、「より積極的に」そのジェスチャの動きをシングルタップとして認識してもよい。
【０１１０】
シングルタップに代えて、ユーザは、ＴＥＮＳデバイスが皮膚上にあるときに、ダブルタップジェスチャを使用して較正プロセスを開始できる。較正プロセスの間、刺激強度は、電気触覚閾値以下の強度から徐々に上昇する。ユーザは、シングルタップを使用して、電気刺激の感覚を引き起こすのに十分な強さまで刺激強度が上昇したときに、ＴＥＮＳデバイスに感覚閾値を指示できる。ユーザが（ユーザジェスチャタップによって）電気刺激の感覚を引き起こすのに十分な強さまで刺激強度が上昇したことを指示すると、強度上昇が停止される。
【０１１１】
プロセッサ５１５が０．３秒から０．６秒の間の時間遅延を有する２つのシングルタップを認識するようにプログラムされていると仮定すると、このユーザからの以前に認識された全ての二重タップが０．３から０．４秒の間の時間遅延を有する場合、プロセッサ５１５は、その二重タップ時間遅延範囲を０．２５から０．４５秒に更新して、そのジェスチャ認識精度を更に改善できる。
【０１１２】
アクティブモードでは、ＴＥＮＳデバイス１００は、ユーザの電気触覚閾値（治療刺激強度）に比例する強度で電流パルスを送達する。ユーザが刺激強度を調節することを望む場合もある。この調節は、スマートフォンアプリ等のリモートコントローラ１８０によって行ってもよい。また、予めプログラムされたＲＦＩＤタグを使用して同様の調節を行ってもよく、例えば、ユーザは、１つのＲＦＩＤタグをＴＥＮＳデバイスに近づけて刺激強度を上昇させ、別のタグを使用して刺激強度を減少させてもよい。
【０１１３】
フリックアップ又はフリックダウン等のジェスチャを用いて刺激強度を制御してもよい。プロセッサ５１５は、Ｚ軸加速度計データからシングルタップを検出し、Ｙ軸データからフリックアップ又はフリックダウンを検出するように構成することが好ましい。図９に示すように、タップジェスチャに関連する波形は、フリックに関連する波形の振幅及び持続時間の特徴よりも大きい振幅及び短い持続時間を有する。プロセッサ５１５は、同じ分類アルゴリズムを使用して、タップジェスチャ及びフリックジェスチャを識別できる。振幅と継続時間の特徴に基づいて、タップとフリックを互いに区別できる。フリックが識別されると、その加速度計波形セグメントの最初のピークの方向を使用して、そのフリックが（最初のピークが正である）フリックアップであるか（最初のピークが負である）フリックダウンであるかを判定する。次に、プロセッサ５１５は、コントローラ４５２に適切なコマンドを送り、これに従って刺激強度を調整する。ユーザが進行中の治療セッションを停止したい場合、ユーザは、ＴＥＮＳデバイスを単にタップするだけでよい。アクティブモード下でシングルタップが認識されると、プロセッサ５１５は、停止コマンドをコントローラ４５２に送信し、更なる刺激を停止する。そして、ＴＥＮＳデバイスは、待機モードに戻る。
【０１１４】
また、皮膚上検出モジュール２６５は、ＴＥＮＳデバイスがアクティブモードであるとき、身体抵抗器２０８の抵抗（より一般化して言えば、電極−皮膚界面のインピーダンス）を算出することによって、電極アレイ３００とユーザの皮膚との間の界面を監視する。抵抗値が著しく増加すると（例えば、初期値の２倍になると）、電極−皮膚界面の品質が著しく劣化したと考えられる。このとき、皮膚上検出モジュール２６５は、コントローラ４５２に信号を送信して電気刺激を停止させ、電極−皮膚接触面積の減少による不快な刺激感覚を回避する。電気刺激を停止することによっても、ＴＥＮＳデバイスは、アクティブモードから待機モードに遷移する。
【０１１５】
本発明の別の好ましい形態では、ＴＥＮＳデバイス１００が皮膚上に配置された後、治療セッションを開始するためのユーザジェスチャ（例えば、シングルタップ）を待つ代わりに、ＴＥＮＳデバイスは、デバイスの皮膚上状態が「真」に変化したときに、自動的に治療セッションを開始してもよい。ユーザがＴＥＮＳデバイスを身体に装着した場合、ユーザは、疼痛緩和を求めていると仮定するのが妥当である。この直感的な仮定は、治療刺激を自動的に開始するために利用できる。より具体的には、本発明のある特定の形態では、ＴＥＮＳデバイスをユーザの上ふくらはぎに配置すると、デバイスは、皮膚上状態が真に設定された２０秒後に刺激を自動的に開始する。同様に、ＴＥＮＳデバイスをユーザの身体から取り外すことは、ユーザがその時点で疼痛緩和を求めていないことを示唆し、したがって、ＴＥＮＳデバイスは、待機モードで５分間待機してから省電力モードに入るのではなく、自動的に省電力モードに入ることができ、これにより、バッテリ寿命を更に最適化できる。
【０１１６】
上記の開示では、刺激器筐体１１１がストラップ１３０のポケット１１２内にない場合でも、多くの意味での動作及び制御が起こり得ると考えられるが、ＴＥＮＳデバイス１００は、完全に組み立てられた状態で使用されることが意図されていることは言うまでもない。例えば、刺激器ユニットが何らかの理由で独立して収納された場合でも、これを移動させると、当然、ここに説明した何らかの動作が生じる可能性がある。もちろん、必要であれば、刺激器ユニットがポケット１１２内にあることを判定する特徴を含ませ、これを追加の監視特徴として使用してもよい。
【０１１７】
また、本発明のＴＥＮＳデバイスを上ふくらはぎとは異なる解剖学的位置に使用する場合、ストラップを他の解剖学的位置により適した他の装着構造に置き換えることができることも明らかである。
【０１１８】
なお、閾値のための時間単位及びサンプリングレート等の特定のパラメータへの言及は、例示的であることは明らかである。
【０１１９】
図１１及び図１３のそれぞれにおいて、特徴７０５、７０６、「ラッチ」、７６５、７６６、及び７６７については、ここでは意図的に説明しておらず、これらの図は、これらの符号が存在しないものとして解釈される。
【０１２０】
なお、図面を参照して詳細に説明した、特定のパラメータ及び特性を含む実施形態は、例示的なものにすぎない。
【０１２１】
［好ましい実施形態の変形例］
当業者は、本発明の性質を説明するために本明細書で説明し及び図示した詳細、材料、工程及び部品の配置を様々に変更できるが、このような変更は、本発明の原理及び範囲内に含まれることは明らかである。
【図１】
2020524577.tif 000006
【図２】
2020524577.tif 000007
【図３】
2020524577.tif 000008
【図４】
2020524577.tif 000009
【図５】
2020524577.tif 000010
【図６】
2020524577.tif 000011
【図７】
2020524577.tif 000012
【図８】
2020524577.tif 000013
【図９】
2020524577.tif 000014
【図１０】
2020524577.tif 000015
【図１１】
2020524577.tif 000016
【図１２】
2020524577.tif 000017
【図１３】
2020524577.tif 000018
【図１４】
2020524577.tif 000019
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
ユーザの経皮的電気神経刺激のための装置であって、
少なくとも１つの神経を電気的に刺激する刺激器と、
刺激器筐体と、
前記刺激器筐体の遷移モーションを監視するモニタと、
前記モニタによって監視される遷移モーションを解析し、前記刺激器筐体の遷移モーションが発生したか否かを判定するアナライザと、
前記刺激器、前記モニタ、及び前記アナライザのうちの少なくとも１つを待機モードと省電力モードとの間で自動的に遷移させるコントローラとを備え、
前記省電力モードは、前記待機モードで利用可能な前記刺激器及び前記モニタの機能のサブセットをサポートし、前記省電力モードにおいてバッテリ電力を節約する装置。
【請求項２】
請求項１に記載の装置において、前記モニタは、前記刺激器筐体に機械的に連結された少なくとも１つの加速度計を使用して、前記刺激器筐体の遷移モーションを監視する装置。
【請求項３】
請求項２に記載の装置において、前記少なくとも１つの加速度計は、３次元空間の少なくとも１つの軸に沿った加速度に関連する加速度信号を提供する装置。
【請求項４】
請求項１から請求項３のいずれか一項に記載の装置において、前記アナライザは、加速度計測定値のサンプル間の差の絶対値を閾値と比較することによって、前記刺激器筐体の遷移モーションを解析する装置。
【請求項５】
請求項１から請求項４のいずれか一項に記載の装置において、前記コントローラは、前記刺激器筐体の遷移モーションを検出した直後に、前記刺激器、前記モニタ、及び前記アナライザのうちの少なくとも１つを前記省電力モードから前記待機モードに遷移させる装置。
【請求項６】
請求項１から請求項５のいずれか一項に記載の装置において、前記コントローラは、前記刺激器筐体の遷移モーションが所定の期間検出されない場合、前記刺激器、前記モニタ、及び前記アナライザのうちの少なくとも１つを前記待機モードから前記省電力モードに遷移させる装置。
【請求項７】
請求項１から請求項６のいずれか一項に記載の装置において、前記刺激器が前記省電力モードであるとき、前記刺激器が電源から切断される、装置。
【請求項８】
請求項１から請求項７のいずれか一項に記載の装置において、前記モニタは、前記モニタが前記省電力モードであるとき、加速度計測定値を５０ヘルツでサンプリングするか、あるいは、前記モニタは、前記省電力モード及び待機モードで、それぞれ第１及び第２のサンプリングレートで加速度計測定値をサンプリングし、前記第２のサンプリングレートは、前記第１のサンプリングレートより高く、好ましくは、少なくとも１．５倍高く、より好ましくは、１．５から５倍高い装置。
【請求項９】
請求項１から請求項８のいずれか一項に記載の装置において、前記アナライザは、前記アナライザが前記省電力モードであるとき、前記刺激器筐体の遷移モーションを判定することに限定される装置。
【請求項１０】
請求項１から請求項９のいずれか一項に記載の装置において、前記刺激器が前記待機モードであるとき、前記刺激器が電源に接続される、装置。
【請求項１１】
請求項１から請求項１０のいずれか一項に記載の装置において、前記モニタは、前記モニタが前記待機モードであるとき、加速度計測定値を１００ヘルツでサンプリングする装置。
【請求項１２】
請求項１から請求項１１のいずれか一項に記載の装置において、前記アナライザは、前記アナライザが前記待機モードであるとき、１つ以上のユーザジェスチャを、任意選択で前記刺激器筐体の遷移モーションを判定することに加えて、判定するようにプログラムされている装置。
【請求項１３】
ユーザの経皮的電気神経刺激のための装置であって、
少なくとも１つの神経を電気的に刺激する刺激器と、
前記少なくとも１つの神経の電気刺激のために前記刺激器に接続可能な一対の電極と、
皮膚上検出器であって、好ましくは、前記刺激器に電気的に接続され、前記一対の電極と前記ユーザの身体との間のインピーダンスを監視し、前記一対の電極の皮膚上状態を判定する皮膚上検出器と、
前記刺激器を待機モードとアクティブモードとの間で自動的に遷移させるコントローラとを備え、
前記刺激器は、前記アクティブモードにおいて前記ユーザに電気刺激を送達する装置。
【請求項１４】
請求項１３に記載の装置において、前記皮膚上検出器は、前記電極が皮膚に接触していると判定したとき又は前記一対の電極と前記ユーザの身体との間の前記インピーダンスが所定の閾値未満であるとき、前記皮膚上状態を真に設定する装置。
【請求項１５】
請求項１３又は請求項１４に記載の装置において、前記一対の電極と前記ユーザの身体との間のインピーダンスを推定するために、分圧回路が使用される装置。
【請求項１６】
請求項１３から請求項１５のいずれか一項に記載の装置において、前記コントローラは、前記皮膚上検出器が前記皮膚上状態を所定の期間に亘って真に設定した後に、前記刺激器を前記待機モードから前記アクティブモードに遷移させる装置。
【請求項１７】
請求項１６に記載の装置において、前記所定の期間は、２０秒である装置。
【請求項１８】
請求項１３から請求項１７のいずれか一項に記載の装置において、前記コントローラは、前記皮膚上状態が真から偽に変化したとき、前記刺激器を前記アクティブモードから前記待機モードに遷移させる装置。
【請求項１９】
請求項１３から請求項１８のいずれか一項に記載の装置において、前記刺激器が前記アクティブモードであるとき、前記刺激器は、刺激強度を目標強度レベルまで徐々に増加させる装置。
【請求項２０】
ユーザの経皮的電気神経刺激のための装置であって、
少なくとも１つの神経を電気的に刺激する刺激器と、
刺激器筐体と、
前記刺激器筐体の遷移モーションを監視するモニタと、
前記モニタに対する前記ユーザの手の近接を示すためのリモートコントローラ又は手段と、
前記モニタによって監視される遷移モーションを解析し、前記刺激器筐体の遷移モーションが前記ユーザによる意図的なハンドジェスチャによって引き起こされたか否かを判定するアナライザと、
前記意図的なハンドジェスチャに応答して、前記刺激器の動作を自動的に変更するコントローラとを備え、
前記リモートコントローラによって示される前記近接によって、前記アナライザの動作が変更される装置。
【請求項２１】
請求項２０に記載の装置において、前記モニタは、前記刺激器筐体に機械的に連結された少なくとも１つの加速度計を使用して、前記刺激器筐体の遷移モーションを監視する装置。
【請求項２２】
請求項２１に記載の装置において、前記加速度計は、３次元空間の少なくとも１つの軸に沿った加速度に関連する加速度信号を提供する装置。
【請求項２３】
請求項２０から請求項２２のいずれか一項に記載の装置において、前記リモートコントローラ又は手段は、近距離通信デバイス及び／又は無線周波数通信デバイスである装置。
【請求項２４】
請求項２３に記載の装置において、前記近距離通信デバイスは、無線周波数識別タグであり、好ましくは、ユーザの手に着用され又は手に近接して着用される物品、例えば、ユーザの指に装着されるリング、腕時計（例えばスマートウォッチであり、例えば近距離無線通信機能を備える）、リストバンド、又はユーザの手首に装着される他の物品（例えば、ブレスレット）に埋め込まれ又は含まれる装置。
【請求項２５】
請求項２０から請求項２４のいずれか一項に記載の装置において、
前記ユーザの手がハンドジェスチャによって前記刺激器筐体とインタラクトしたとき、前記ユーザの手の近接が登録され、及び／又は、
前記ハンドジェスチャは、
（ｉ）前記刺激器筐体への物理的打撃であり、好ましくは迅速な（短期間の）ものであり、及び／又は、
（ｉｉ）タップ、スラップ、及びフリックからなるグループのうちから選択される１つである、
装置。
【請求項２６】
請求項２０から請求項２５のいずれか一項に記載の装置において、
前記アナライザは、前記モニタによって監視される意図的なハンドジェスチャによって引き起こされる遷移モーションを、意図的なハンドジェスチャに関連しない遷移活動によって引き起こされるものから区別でき、及び／又は、
前記アナライザは、前記モニタからの波形セグメントが意図的なユーザジェスチャに関連しない遷移活動によって引き起こされた尤度を計算し、又は、前記モニタからの波形セグメントが意図的なユーザジェスチャに関連しない遷移活動によって引き起こされたか否かを判定する、
装置。
【請求項２７】
請求項２０から請求項２６のいずれか一項に記載の装置において、前記アナライザは、前記モニタからの波形セグメントが意図的なユーザジェスチャによって引き起こされたものである尤度を計算し、又は前記モニタからの波形セグメントが意図的なユーザジェスチャによって引き起こされたものであるか否かを判定する装置。
【請求項２８】
請求項２０から請求項２７のいずれか一項に記載の装置において、前記アナライザは、遷移活動の尤度と意図的なユーザジェスチャの尤度とを比較することによって、前記モニタによって監視された遷移モーションが意図的なユーザジェスチャであるか否かを判定する装置。
【請求項２９】
請求項２６から請求項２８のいずれか一項に記載の装置において、
前記尤度は、前記ユーザの手の近接が前記リモートコントローラ又は手段から登録されたときに変更され、又は、
遷移モーションが意図的なハンドジェスチャであるかについての前記アナライザによる判定は、前記リモートコントローラ又は手段からの近接指示を使用する、
装置。
【請求項３０】
請求項２９に記載の装置において、前記変更は、前記尤度を低下させることである装置。
【請求項３１】
ユーザの経皮的電気神経刺激のための装置であって、前記装置は、
少なくとも１つの神経を電気的に刺激する刺激器と、
刺激器筐体と、
前記刺激器筐体の遷移モーションを監視するモニタと、
前記モニタによって監視される遷移モーションを解析し、前記刺激器筐体の遷移モーションが前記ユーザによる意図的なジェスチャによって引き起こされたか否かを判定するアナライザと、
前記意図的なジェスチャに応答して、前記刺激器の動作を自動的に変更するコントローラとを備え、
前記意図的なジェスチャはフリックアップ又はフリックダウンであり、好ましくは前記刺激器筐体のものであり、例えば前記刺激器からの前記電気刺激の強度レベルを制御するためのものである、装置。
【国際調査報告】
2020524577.tif 000020
2020524577.tif 000021
2020524577.tif 000022
2020524577.tif 000023